(57)【要約】  新無線(NR)システムにおける電力制御のための方法、システム、およびデバイスが説明される。一例では、ユーザ機器(UE)は、制御チャネル内の送信されるべき制御情報の効果的な符号レートに基づいて、制御チャネルに対する送信電力を決定し得る。別の例では、UEは、制御チャネル内の制御情報の反復送信に対して異なる送信電力を使用するように構成され得る。また別の例では、UEは、時間間隔内にスケジュールされた他の送信に関連する送信の優先度に基づいて、時間間隔内の送信に対する送信電力を決定するかまたは、時間間隔内の送信をスケーリングするように構成され得る。また別の例では、UEは、異なる開ループパラメータを使用して異なるように多重化されたアップリンク送信に対するそれぞれの送信電力を決定するように構成され得る。
2020523831.tif 000002
【特許請求の範囲】
【請求項１】
ワイヤレス通信のための方法であって、
送信時間間隔(TTI)の制御チャネル内の送信されるべき制御情報に対して割り振られるリソースブロックの数、前記制御情報のペイロードサイズ、および前記制御情報の送信のために使用される前記リソースブロックのリソース要素の数を決定するステップと、
前記制御情報に対して割り振られる前記リソースブロックの数、前記制御情報の前記ペイロードサイズ、および前記制御情報の送信のために使用される前記リソースブロックの前記リソース要素の数に少なくとも部分的に基づいて、前記TTIの間の前記制御チャネルに対する送信電力を決定するステップと、
前記決定された送信電力を使用して前記TTIの間の前記制御情報を送信するステップとを含む、方法。
【請求項２】
前記制御情報に対して割り振られる前記リソースブロックの数、前記制御情報の前記ペイロードサイズ、および前記制御情報の送信のために使用される前記リソースブロックの前記リソース要素の数に少なくとも部分的に基づいて、前記制御情報に対する効果的な符号レートを決定するステップをさらに含み、前記送信電力が、前記効果的な符号レートに少なくとも部分的に基づいて決定される、請求項1に記載の方法。
【請求項３】
前記TTIの間の前記制御チャネルに対する前記送信電力を決定するステップが、さらに、前記制御チャネルのメッセージフォーマットに少なくとも部分的に基づく、請求項1に記載の方法。
【請求項４】
ワイヤレス通信用のための方法であって、
第1の送信電力を使用して第1の送信時間間隔(TTI)の間の制御チャネル内の制御情報の第1の送信を実行するステップと、
第2のTTIの間の反復されるべき前記第1の送信の制御情報を識別するステップと、
前記第2のTTIの間の前記制御情報の送信を反復するための第2の送信電力を決定するステップであって、前記第1の送信電力が前記第2の送信電力とは異なる、ステップと、
前記決定された第2の送信電力を使用して前記第2のTTIの間の前記制御チャネル内の前記制御情報の前記送信を反復するステップとを含む、方法。
【請求項５】
前記制御情報の前記第1の送信が第1のビーム方向内にあり、前記制御情報の前記送信を反復するステップが、
前記第1のビーム方向とは異なる第2のビーム方向内で前記制御情報の前記送信を反復するステップを含む、請求項4に記載の方法。
【請求項６】
前記制御情報の前記第1の送信に関連付けられた第1の経路損失を識別するステップであって、前記第1の送信電力が、前記第1の経路損失に少なくとも部分的に基づいて決定される、ステップと、
前記制御情報の反復送信に関連付けられた第2の経路損失を識別するステップとをさらに含み、前記第2の送信電力が、前記第2の経路損失に少なくとも部分的に基づいて決定される、請求項4に記載の方法。
【請求項７】
前記制御情報の前記送信を反復するための前記第2の送信電力に関連する送信電力制御(TPC)コマンドを含むダウンリンク制御情報(DCI)を受信するステップをさらに含み、前記第2の送信電力が、前記TPCコマンドに少なくとも部分的に基づいて決定される、請求項4に記載の方法。
【請求項８】
前記DCIがさらに、前記TPCコマンドが前記制御情報の反復送信に適用可能であるかどうかを示す、請求項7に記載の方法。
【請求項９】
前記DCIがさらに、前記TPCコマンドが適用される反復送信を示す、請求項8に記載の方法。
【請求項１０】
前記DCIが、前記DCIが受信される時間間隔から一定の遅延の後にスケジュールされた制御情報の反復送信に適用可能である、請求項7に記載の方法。
【請求項１１】
前記制御情報の前記送信を反復するための前記第2の送信電力に関連する前記TPCコマンド内の1つまたは複数のステップサイズの第1のセットが、前記第1の送信電力に関連する別のTPCコマンド内の1つまたは複数のステップサイズの第2のセットとは異なる、請求項7に記載の方法。
【請求項１２】
ステップサイズと制御情報の反復送信に対する反復インデックスとの間の関係を示す前記TPCコマンド内の表を識別するステップをさらに含み、前記第2の送信電力が、前記表と前記反復送信の反復インデックスとに少なくとも部分的に基づいて決定される、請求項7に記載の方法。
【請求項１３】
ワイヤレス通信のための装置であって
送信時間間隔(TTI)の制御チャネル内の送信されるべき制御情報に対して割り振られるリソースブロックの数、前記制御情報のペイロードサイズ、および前記制御情報の送信のために使用される前記リソースブロックのリソース要素の数を決定するための手段と、
前記制御情報に対して割り振られる前記リソースブロックの数、前記制御情報の前記ペイロードサイズ、および前記制御情報の送信のために使用される前記リソースブロックの前記リソース要素の数に少なくとも部分的に基づいて、前記TTIの間の前記制御チャネルに対する送信電力を決定するための手段と、
前記決定された送信電力を使用して前記TTIの間の前記制御情報を送信するための手段とを含む、装置。
【請求項１４】
前記制御情報に対して割り振られる前記リソースブロックの数、前記制御情報の前記ペイロードサイズ、および前記制御情報の送信のために使用される前記リソースブロックの前記リソース要素の数に少なくとも部分的に基づいて、前記制御情報に対する効果的な符号レートを決定するための手段をさらに含み、前記送信電力が、前記効果的な符号レートに少なくとも部分的に基づいて決定される、請求項13に記載の装置。
【請求項１５】
前記TTIの間の前記制御チャネルに対する前記送信電力を決定することが、さらに、前記制御チャネルのメッセージフォーマットに少なくとも部分的に基づく、請求項13に記載の装置。
【請求項１６】
ワイヤレス通信のための装置であって
第1の送信電力を使用して第1の送信時間間隔(TTI)の間の制御チャネル内の制御情報の第1の送信を実行するための手段と、
第2のTTIの間の反復されるべき前記第1の送信の制御情報を識別するための手段と、
前記第2のTTIの間の前記制御情報の送信を反復するための第2の送信電力を決定するための手段であって、前記第1の送信電力が前記第2の送信電力とは異なる、手段と、
前記決定された第2の送信電力を使用して前記第2のTTIの間の前記制御チャネル内の前記制御情報の前記送信を反復するための手段とを含む、装置。
【請求項１７】
前記制御情報の前記第1の送信が第1のビーム方向内にあり、前記制御情報の前記送信を反復するための前記手段が、
前記第1のビーム方向とは異なる第2のビーム方向内で前記制御情報の前記送信を反復するための手段を含む、請求項16に記載の装置。
【請求項１８】
前記制御情報の前記第1の送信に関連付けられた第1の経路損失を識別するための手段であって、前記第1の送信電力が、前記第1の経路損失に少なくとも部分的に基づいて決定される、手段と、
前記制御情報の反復送信に関連付けられた第2の経路損失を識別するための手段とをさらに含み、前記第2の送信電力が、前記第2の経路損失に少なくとも部分的に基づいて決定される、請求項16に記載の装置。
【請求項１９】
前記制御情報の前記送信を反復するための前記第2の送信電力に関連する送信電力制御(TPC)コマンドを含むダウンリンク制御情報(DCI)を受信するための手段をさらに含み、前記第2の送信電力が、前記TPCコマンドに少なくとも部分的に基づいて決定される、請求項16に記載の装置。
【請求項２０】
前記DCIがさらに、前記TPCコマンドが前記制御情報の反復送信に適用可能であるかどうかを示す、請求項19に記載の装置。
【請求項２１】
前記DCIがさらに、前記TPCコマンドが適用される反復送信を示す、請求項20に記載の装置。
【請求項２２】
前記DCIが、前記DCIが受信される時間間隔から一定の遅延の後にスケジュールされた制御情報の反復送信に適用可能である、請求項19に記載の装置。
【請求項２３】
前記制御情報の前記送信を反復するための前記第2の送信電力に関連する前記TPCコマンド内の1つまたは複数のステップサイズの第1のセットが、前記第1の送信電力に関連する別のTPCコマンド内の1つまたは複数のステップサイズの第2のセットとは異なる、請求項19に記載の装置。
【請求項２４】
ステップサイズと制御情報の反復送信に対する反復インデックスとの間の関係を示す前記TPCコマンド内の表を識別するための手段をさらに含み、前記第2の送信電力が、前記表と前記反復送信の反復インデックスとに少なくとも部分的に基づいて決定される、請求項19に記載の装置。
【請求項２５】
ワイヤレス通信のためのモバイルデバイスであって、
プロセッサと、
前記プロセッサと電子通信しているメモリと、
前記メモリに記憶された命令とを備え、前記命令が、前記プロセッサによって実行されたとき、前記モバイルデバイスに、
送信時間間隔(TTI)の制御チャネル内の送信されるべき制御情報に対して割り振られるリソースブロックの数、前記制御情報のペイロードサイズ、および前記制御情報の送信のために使用される前記リソースブロックのリソース要素の数を決定することと、
前記制御情報に対して割り振られる前記リソースブロックの数、前記制御情報の前記ペイロードサイズ、および前記制御情報の送信のために使用される前記リソースブロックの前記リソース要素の数に少なくとも部分的に基づいて、前記TTIの間の前記制御チャネルに対する送信電力を決定することと、
前記決定された送信電力を使用して前記TTIの間の前記制御情報を送信することとを行わせるように動作可能である、モバイルデバイス。
【請求項２６】
前記命令が、さらに、
前記制御情報に対して割り振られる前記リソースブロックの数、前記制御情報の前記ペイロードサイズ、および前記制御情報の送信のために使用される前記リソースブロックの前記リソース要素の数に少なくとも部分的に基づいて、前記制御情報に対する効果的な符号レートを決定するように、前記プロセッサによって実行可能であり、前記送信電力が、前記効果的な符号レートに少なくとも部分的に基づいて決定される、請求項25に記載のモバイルデバイス。
【請求項２７】
前記TTIの間の前記制御チャネルに対する前記送信電力を決定することが、さらに、前記制御チャネルのメッセージフォーマットに少なくとも部分的に基づく、請求項25に記載のモバイルデバイス。
【請求項２８】
ワイヤレス通信のためのモバイルデバイスであって、
プロセッサと、
前記プロセッサと電子通信しているメモリと、
前記メモリに記憶された命令とを備え、前記命令が、前記プロセッサによって実行されたとき、前記モバイルデバイスに、
第1の送信電力を使用して第1の送信時間間隔(TTI)の間の制御チャネル内の制御情報の第1の送信を実行することと、
第2のTTIの間の反復されるべき前記第1の送信の制御情報を識別することと、
前記第2のTTIの間の前記制御情報の送信を反復するための第2の送信電力を決定することであって、前記第1の送信電力が前記第2の送信電力とは異なる、決定することと、
前記決定された第2の送信電力を使用して前記第2のTTIの間の前記制御チャネル内の前記制御情報の前記送信を反復することとを行わせるように動作可能である、モバイルデバイス。
【請求項２９】
前記制御情報の前記第1の送信が第1のビーム方向内にあり、前記命令が、さらに、
前記第1のビーム方向とは異なる第2のビーム方向内で前記制御情報の前記送信を反復するように、前記プロセッサによって実行可能である、請求項28に記載のモバイルデバイス。
【請求項３０】
前記命令が、さらに、
前記制御情報の前記第1の送信に関連付けられた第1の経路損失を識別することであって、前記第1の送信電力が、前記第1の経路損失に少なくとも部分的に基づいて決定される、識別することと、
前記制御情報の反復送信に関連付けられた第2の経路損失を識別することとを行うように、前記プロセッサによって実行可能であり、前記第2の送信電力が、前記第2の経路損失に少なくとも部分的に基づいて決定される、請求項28に記載のモバイルデバイス。
【請求項３１】
前記命令が、さらに、
前記制御情報の前記送信を反復するための前記第2の送信電力に関連する送信電力制御(TPC)コマンドを含むダウンリンク制御情報(DCI)を受信するように、前記プロセッサによって実行可能であり、前記第2の送信電力が、前記TPCコマンドに少なくとも部分的に基づいて決定される、請求項28に記載のモバイルデバイス。
【請求項３２】
前記DCIがさらに、前記TPCコマンドが前記制御情報の反復送信に適用可能であるかどうかを示す、請求項31に記載のモバイルデバイス。
【請求項３３】
前記DCIがさらに、前記TPCコマンドが適用される反復送信を示す、請求項32に記載のモバイルデバイス。
【請求項３４】
前記DCIが、前記DCIが受信される時間間隔から一定の遅延の後にスケジュールされた制御情報の反復送信に適用可能である、請求項31に記載のモバイルデバイス。
【請求項３５】
前記制御情報の前記送信を反復するための前記第2の送信電力に関連する前記TPCコマンド内の1つまたは複数のステップサイズの第1のセットが、前記第1の送信電力に関連する別のTPCコマンド内の1つまたは複数のステップサイズの第2のセットとは異なる、請求項31に記載のモバイルデバイス。
【請求項３６】
前記命令が、さらに、
ステップサイズと制御情報の反復送信に対する反復インデックスとの間の関係を示す前記TPCコマンド内の表を識別するように、前記プロセッサによって実行可能であり、前記第2の送信電力が、前記表と前記反復送信の反復インデックスとに少なくとも部分的に基づいて決定される、請求項31に記載のモバイルデバイス。
【請求項３７】
ワイヤレス通信のためのコードを記憶する非一時的コンピュータ可読記憶媒体であって、前記コードが、
送信時間間隔(TTI)の制御チャネル内の送信されるべき制御情報に対して割り振られるリソースブロックの数、前記制御情報のペイロードサイズ、および前記リソースブロックの使用されるリソース要素の数を決定することと、
前記制御情報に対して割り振られる前記リソースブロックの数、前記制御情報の前記ペイロードサイズ、および前記リソースブロックの前記使用されたリソース要素の数に少なくとも部分的に基づいて、前記TTIの間の前記制御チャネルに対する送信電力を決定することと、
前記決定された送信電力を使用して前記TTIの間の前記制御情報を送信することとを行うように、プロセッサによって実行可能である命令を含む、非一時的コンピュータ可読記憶媒体。
【請求項３８】
前記命令が、さらに、
前記制御情報に対して割り振られる前記リソースブロックの数、前記制御情報の前記ペイロードサイズ、および前記制御情報の送信のために使用される前記リソースブロックの前記リソース要素の数に少なくとも部分的に基づいて、前記制御情報に対する効果的な符号レートを決定するように、前記プロセッサによって実行可能であり、前記送信電力が、前記効果的な符号レートに少なくとも部分的に基づいて決定される、請求項37に記載の非一時的コンピュータ可読記憶媒体。
【請求項３９】
前記TTIの間の前記制御チャネルに対する前記送信電力を決定することが、さらに、前記制御チャネルのメッセージフォーマットに少なくとも部分的に基づく、請求項37に記載の非一時的コンピュータ可読記憶媒体。
【請求項４０】
ワイヤレス通信のためのコードを記憶する非一時的コンピュータ可読記憶媒体であって、前記コードが、
第1の送信電力を使用して第1の送信時間間隔(TTI)の間の制御チャネル内の制御情報の第1の送信を実行することと、
第2のTTIの間の反復されるべき前記第1の送信の制御情報を識別することと、
前記第2のTTIの間の前記制御情報の送信を反復するための第2の送信電力を決定することであって、前記第1の送信電力が前記第2の送信電力とは異なる、決定することと、
前記決定された第2の送信電力を使用して前記第2のTTIの間の前記制御チャネル内の前記制御情報の前記送信を反復することとを行うように、プロセッサによって実行可能な命令を含む、非一時的コンピュータ可読記憶媒体。
【請求項４１】
前記制御情報の前記第1の送信が第1のビーム方向内にあり、前記命令が、さらに、
前記第1のビーム方向とは異なる第2のビーム方向内で前記制御情報の前記送信を反復するように、前記プロセッサによって実行可能である、請求項40に記載の非一時的コンピュータ可読記憶媒体。
【請求項４２】
前記命令が、さらに、
前記制御情報の前記第1の送信に関連付けられた第1の経路損失を識別することであって、前記第1の送信電力が、前記第1の経路損失に少なくとも部分的に基づいて決定される、識別することと、
前記制御情報の反復送信に関連付けられた第2の経路損失を識別することとを行うように、前記プロセッサによって実行可能であり、前記第2の送信電力が、前記第2の経路損失に少なくとも部分的に基づいて決定される、請求項40に記載の非一時的コンピュータ可読記憶媒体。
【請求項４３】
前記命令が、さらに、
前記制御情報の前記送信を反復するための前記第2の送信電力に関連する送信電力制御(TPC)コマンドを含むダウンリンク制御情報(DCI)を受信するように、前記プロセッサによって実行可能であり、前記第2の送信電力が、前記TPCコマンドに少なくとも部分的に基づいて決定される、請求項40に記載の非一時的コンピュータ可読記憶媒体。
【請求項４４】
前記DCIがさらに、前記TPCコマンドが前記制御情報の反復送信に適用可能であるかどうかを示す、請求項43に記載の非一時的コンピュータ可読記憶媒体。
【請求項４５】
前記DCIがさらに、前記TPCコマンドが適用される反復送信を示す、請求項44に記載の非一時的コンピュータ可読記憶媒体。
【請求項４６】
前記DCIが、前記DCIが受信される時間間隔から一定の遅延の後にスケジュールされた制御情報の反復送信に適用可能である、請求項43に記載の非一時的コンピュータ可読記憶媒体。
【請求項４７】
前記制御情報の前記送信を反復するための前記第2の送信電力に関連する前記TPCコマンド内の1つまたは複数のステップサイズの第1のセットが、前記第1の送信電力に関連する別のTPCコマンド内の1つまたは複数のステップサイズの第2のセットとは異なる、請求項43に記載の非一時的コンピュータ可読記憶媒体。
【請求項４８】
前記命令が、さらに、
ステップサイズと制御情報の反復送信に対する反復インデックスとの間の関係を示す前記TPCコマンド内の表を識別するように、前記プロセッサによって実行可能であり、前記第2の送信電力が、前記表と前記反復送信の反復インデックスとに少なくとも部分的に基づいて決定される、請求項43に記載の非一時的コンピュータ可読記憶媒体。
【発明の詳細な説明】
【技術分野】
【０００１】
相互参照
本特許出願は、各々が本出願の譲受人に譲渡された、2018年6月7日に出願した「Power Control In New Radio Systems」と題する、Akkarakaranらによる米国特許出願第16/002,928号、および2017年6月9日に出願した「Power Control In New Radio Systems」と題する、Akkarakaranらによる米国仮特許出願第62/517,815号の優先権を主張するものである。
【０００２】
以下は、全般にワイヤレス通信に関し、より具体的には、新無線(NR)システムにおける電力制御に関する。
【背景技術】
【０００３】
ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース(たとえば、時間、周波数、および電力)を共有することによって複数のユーザとの通信をサポートすることが可能であることがある。そのような多元接続システムの例には、符号分割多元接続(CDMA)システム、時分割多元接続(TDMA)システム、周波数分割多元接続(FDMA)システム、および直交周波数分割多元接続(OFDMA)システム、(たとえば、Long Term Evolution(LTE)システム、またはNRシステムがある。
【０００４】
ワイヤレス多元接続通信システムは、場合によってはユーザ機器(UE)として知られていることがある、複数の通信デバイスのための通信を各々が同時にサポートする、いくつかの基地局またはアクセスネットワークノードを含む場合がある。場合によっては、NRシステムは、システムの効率および柔軟性を改善するために、(たとえば、LTEシステムと比較するとき)追加の特徴をサポートしてもよい。たとえば、NRシステムは、高優先度通信のレイテンシを低減するためにUEと基地局との間の超高信頼低レイテンシ通信(URLLC)をサポートしてもよい。しかしながら、電力制御に対する従来の技法は、ワイヤレスデバイスが、NRシステムによってサポートされる追加の特徴を使用して通信することに対して適切ではない。
【発明の概要】
【課題を解決するための手段】
【０００５】
説明する技法は、新無線(NR)システムにおける電力制御をサポートする改善された方法、システム、デバイス、または装置に関する。一例では、ユーザ機器(UE)は、制御チャネル内で送信されるべき制御情報の効果的な符号レートに基づいて、制御チャネルに対する送信電力を決定し得る。別の例では、UEは、制御チャネル内の制御情報の反復送信に対して異なる送信電力を使用するように構成されてもよい。また別の例では、UEは、時間間隔内の送信に対する送信電力を決定するかまたは、時間間隔内にスケジュールされた他の送信に対する送信の優先度に基づいて、時間間隔内の送信の電力をスケーリングするように構成されてもよい。また別の例では、UEは、異なる開ループパラメータを使用して異なるように多重化されたアップリンク送信に対する、それぞれの送信電力を決定するように構成されてもよい。
【０００６】
ワイヤレス通信の方法について説明する。方法は、送信時間間隔(TTI:Transmission Time Interval)の制御チャネル内の送信されるべき制御情報に対して割り振られるリソースブロックの数、制御情報のペイロードサイズ、および制御情報の送信のために使用されるリソースブロックのリソース要素の数を決定するステップと、制御情報に対して割り振られるリソースブロックの数、制御情報のペイロードサイズ、および制御情報の送信のために使用されるリソースブロックのリソース要素の数に少なくとも部分的に基づいてTTIの間の制御チャネルに対する送信電力を決定するステップと、決定された送信電力を使用してTTIの間の制御情報を送信するステップとを含み得る。
【０００７】
ワイヤレス通信のための装置について説明する。装置は、TTIの制御チャネル内の送信されるべき制御情報に対して割り振られるリソースブロックの数、制御情報のペイロードサイズ、および制御情報の送信のために使用されるリソースブロックのリソース要素の数を決定するための手段と、制御情報に対して割り振られるリソースブロックの数、制御情報のペイロードサイズ、および制御情報の送信のために使用されるリソースブロックのリソース要素の数に少なくとも部分的に基づいてTTIの間の制御チャネルに対する送信電力を決定するための手段と、決定された送信電力を使用してTTIの間の制御情報を送信するための手段とを含み得る。
【０００８】
ワイヤレス通信のための別の装置について説明する。装置は、プロセッサ、プロセッサと電子通信しているメモリ、およびメモリに記憶された命令を含んでもよい。命令は、TTIの制御チャネル内の送信されるべき制御情報に対して割り振られるリソースブロックの数、制御情報のペイロードサイズ、および制御情報の送信のために使用されるリソースブロックのリソース要素の数を決定することと、制御情報に対して割り振られるリソースブロックの数、制御情報のペイロードサイズ、および制御情報の送信のために使用されるリソースブロックのリソース要素の数に少なくとも部分的に基づいてTTIの間の制御チャネルに対する送信電力を決定することと、決定された送信電力を使用してTTIの間の制御情報を送信することとをプロセッサに行わせるように動作可能であり得る。
【０００９】
ワイヤレス通信用の非一時的コンピュータ可読媒体について説明する。非一時的コンピュータ可読媒体は、TTIの制御チャネル内の送信されるべき制御情報に対して割り振られるリソースブロックの数、制御情報のペイロードサイズ、および制御情報の送信のために使用されるリソースブロックのリソース要素の数を決定することと、制御情報に対して割り振られるリソースブロックの数、制御情報のペイロードサイズ、および制御情報の送信のために使用されるリソースブロックのリソース要素の数に少なくとも部分的に基づいてTTIの間の制御チャネルに対する送信電力を決定することと、決定された送信電力を使用してTTIの間の制御情報を送信することとをプロセッサに行わせるように動作可能な命令を含み得る。
【００１０】
上記で説明した方法、装置および非一時的コンピュータ可読媒体のいくつかの例は、制御情報に対して割り振られるリソースブロックの数、制御情報のペイロードサイズ、および制御情報の送信のために使用されるリソースブロックのリソース要素の数に少なくとも部分的に基づいて、制御情報に対する効果的な符号レートを決定するためのプロセス、特徴、手段、または命令をさらに含んでもよく、送信電力は、効果的な符号レートに少なくとも部分的に基づいて決定される。上記で説明した方法、装置、および非一時的コンピュータ可読媒体のいくつかの例では、TTIの間の制御チャネルに対する送信電力を決定することは、さらに、制御チャネルのメッセージフォーマットに少なくとも部分的に基づく場合がある。
【００１１】
ワイヤレス通信の方法について説明する。方法は、第1の送信電力を使用して第1のTTIの間の制御チャネル内の制御情報の第1の送信を実行するステップと、第2のTTIの間の反復されるべき第1の送信の制御情報を識別するステップと、第2のTTIの間の制御情報の送信を反復するための第2の送信電力を決定するステップであって、第1の送信電力は第2の送信電力とは異なる、ステップと、決定された第2の送信電力を使用して第2のTTIの間の制御チャネル内の制御情報の送信を反復するステップとを含み得る。
【００１２】
ワイヤレス通信のための装置について説明する。装置は、第1の送信電力を使用して第1のTTIの間の制御チャネル内の制御情報の第1の送信を実行するための手段と、第2のTTIの間の反復されるべき第1の送信の制御情報を識別するための手段と、第2のTTIの間の制御情報の送信を反復するための第2の送信電力を決定するための手段であって、第1の送信電力は第2の送信電力とは異なる、手段と、決定された第2の送信電力を使用して第2のTTIの間の制御チャネル内の制御情報の送信を反復するための手段とを含み得る。
【００１３】
ワイヤレス通信のための別の装置について説明する。装置は、プロセッサ、プロセッサと電子通信しているメモリ、およびメモリに記憶された命令を含んでもよい。命令は、第1の送信電力を使用して第1のTTIの間の制御チャネル内の制御情報の第1の送信を実行することと、第2のTTIの間の反復されるべき第1の送信の制御情報を識別することと、第2のTTIの間の制御情報の送信を反復するための第2の送信電力を決定することであって、第1の送信電力は第2の送信電力とは異なる、決定することと、決定された第2の送信電力を使用して第2のTTIの間の制御チャネル内の制御情報の送信を反復することとをプロセッサに行わせるように動作可能であり得る。
【００１４】
ワイヤレス通信用の非一時的コンピュータ可読媒体について説明する。非一時的コンピュータ可読媒体は、第1の送信電力を使用して第1のTTIの間の制御チャネル内の制御情報の第1の送信を実行することと、第2のTTIの間の反復されるべき第1の送信の制御情報を識別することと、第2のTTIの間の制御情報の送信を反復するための第2の送信電力を決定することであって、第1の送信電力は第2の送信電力とは異なる、決定することと、決定された第2の送信電力を使用して第2のTTIの間の制御チャネル内の制御情報の送信を反復することとをプロセッサに行わせるように動作可能な命令を含み得る。
【００１５】
上記で説明した方法、装置および非一時的コンピュータ可読媒体のいくつかの例では、制御情報の第1の送信は第1のビーム方向内にあり得、制御情報の送信を反復することは、第1のビーム方向と異なってもよい第2のビーム方向内にある制御情報の送信を反復することを含む。
【００１６】
上記で説明した方法、装置、および非一時的コンピュータ可読媒体のいくつかの例は、制御情報の第1の送信に関連付けられた第1の経路損失を識別するためのプロセス、特徴、手段または命令をさらに含んでもよく、第1の送信電力は、第1の経路損失に少なくとも部分的に基づいて決定され得る。上記で説明した方法、装置、および非一時的コンピュータ可読媒体のいくつかの例は、制御情報の反復送信に関連付けられた第2の経路損失を識別するためのプロセス、特徴、手段または命令をさらに含んでもよく、第2の送信電力は、第2の経路損失に少なくとも部分的に基づいて決定され得る。
【００１７】
上記で説明した方法、装置、および非一時的コンピュータ可読媒体のいくつかの例は、制御情報の送信を反復するための第2の送信電力に関連する送信電力制御(TPC)コマンドを含むダウンリンク制御情報(DCI)を受信するためのプロセス、特徴、手段または命令をさらに含んでもよく、第2の送信電力は、TPCコマンドに少なくとも部分的に基づいて決定され得る。
【００１８】
上記で説明した方法、装置、および非一時的コンピュータ可読媒体のいくつかの例では、DCIは、さらに、TPCコマンドが制御情報の反復送信に適用可能であり得るかどうかを示す。上記で説明した方法、装置、および非一時的コンピュータ可読媒体のいくつかの例では、DCIは、さらに、TPCコマンドが適用される反復送信を示す。上記で説明した方法、装置、および非一時的コンピュータ可読媒体のいくつかの例では、DCIは、DCIが受信され得る時間間隔から一定の遅延の後にスケジュールされた制御情報の反復送信に適用可能であり得る。
【００１９】
上記で説明した方法、装置、および非一時的コンピュータ可読媒体のいくつかの例では、制御情報の送信を反復するための第2の送信電力に関連するTPCコマンド内の1つまたは複数のステップサイズの第1のセットは、第1の送信電力に関連する別のTPCコマンド内の1つまたは複数のステップサイズの第2のセットとは異なる場合がある。上記で説明した方法、装置、および非一時的コンピュータ可読媒体のいくつかの例は、ステップサイズと制御情報の反復送信に対する反復インデックスとの間の関係を示すTPCコマンド内の表を識別するためのプロセス、特徴、手段または命令をさらに含んでもよく、第2の送信電力は、反復送信の表および反復インデックスに少なくとも部分的に基づいて決定され得る。
【００２０】
ワイヤレス通信の方法について説明する。方法は、TTIの間のデータチャネル内の送信されるべきデータを識別するステップと、TTIの間のデータチャネルの一部と制御チャネルとの周波数分割多重化に少なくとも部分的に基づいてTTIの間のデータチャネルに対する第1の送信電力を決定するステップと、決定された第1の送信電力を使用して第1のTTIの間のデータチャネル内のデータを送信するステップとを含み得る。
【００２１】
ワイヤレス通信のための装置について説明する。装置は、TTIの間のデータチャネル内の送信されるべきデータを識別するための手段と、TTIの間のデータチャネルの一部と制御チャネルとの周波数分割多重化に少なくとも部分的に基づいてTTIの間のデータチャネルに対する第1の送信電力を決定するための手段と、決定された第1の送信電力を使用して第1のTTIの間のデータチャネル内のデータを送信するための手段とを含み得る。
【００２２】
ワイヤレス通信のための別の装置について説明する。装置は、プロセッサ、プロセッサと電子通信しているメモリ、およびメモリに記憶された命令を含んでもよい。命令は、TTIの間のデータチャネル内の送信されるべきデータを識別することと、TTIの間のデータチャネルの一部と制御チャネルとの周波数分割多重化に少なくとも部分的に基づいてTTIの間のデータチャネルに対する第1の送信電力を決定することと、決定された第1の送信電力を使用して第1のTTIの間のデータチャネル内のデータを送信することとをプロセッサに行わせるように動作可能であり得る。
【００２３】
ワイヤレス通信用の非一時的コンピュータ可読媒体について説明する。非一時的コンピュータ可読媒体は、TTIの間のデータチャネル内の送信されるべきデータを識別することと、TTIの間のデータチャネルの一部と制御チャネルとの周波数分割多重化に少なくとも部分的に基づいてTTIの間のデータチャネルに対する第1の送信電力を決定することと、決定された第1の送信電力を使用して第1のTTIの間のデータチャネル内のデータを送信することとをプロセッサに行わせるように動作可能な命令を含み得る。
【００２４】
上記で説明した方法、装置、および非一時的コンピュータ可読媒体のいくつかの例は、TTIの間の制御チャネルに対する第2の送信電力とは無関係に、TTIのデータチャネルに対する第1の送信電力を決定するためのプロセス、特徴、手段、または命令をさらに含み得る。上記で説明した方法、装置、および非一時的コンピュータ可読媒体のいくつかの例は、TTIの間の制御チャネルに対する第3の送信電力に少なくとも部分的に基づいて、TTIの間のデータチャネルの一部に対する第2の送信電力を決定するためのプロセス、特徴、手段、または命令をさらに含み得る。
【００２５】
上記で説明した方法、装置、および非一時的コンピュータ可読媒体のいくつかの例は、制御チャネルと周波数分割多重化されない第1のTTIの間のデータチャネルの残りの部分に対する第4の送信電力を決定するためのプロセス、特徴、手段、または命令をさらに含んでもよく、第4の送信電力は、制御チャネルと周波数分割多重化されたデータチャネルの部分に対する第2の送信電力より大きい場合がある。
【００２６】
ワイヤレス通信の方法について説明する。方法は、TTIの間の第1のチャネル内の送信されるべきデータまたは制御情報を識別するステップであって、第1のチャネルは第1の送信優先度に関連付けられる、ステップと、第1のチャネルがTTIの一部の中の第1の送信優先度より高い第2の送信優先度に関連付けられた第2のチャネルと周波数分割多重化されると決定するステップと、TTIの間の第1のチャネルに対する第2の送信電力に無関係にTTIの間の第2のチャネルに対する第1の送信電力を決定するステップと、決定された第1の送信電力を使用してTTIの間の第2のチャネルを送信するステップとを含み得る。
【００２７】
ワイヤレス通信のための装置について説明する。装置は、TTIの間の第1のチャネル内の送信されるべきデータまたは制御情報を識別するための手段であって、第1のチャネルは第1の送信優先度に関連付けられる、手段と、第1のチャネルがTTIの一部の中の第1の送信優先度より高い第2の送信優先度に関連付けられた第2のチャネルと周波数分割多重化されると決定するための手段と、TTIの間の第1のチャネルに対する第2の送信電力に無関係にTTIの間の第2のチャネルに対する第1の送信電力を決定するための手段と、決定された第1の送信電力を使用してTTIの間の第2のチャネルを送信するための手段とを含み得る。
【００２８】
ワイヤレス通信のための別の装置について説明する。装置は、プロセッサ、プロセッサと電子通信しているメモリ、およびメモリに記憶された命令を含んでもよい。命令は、TTIの間の第1のチャネル内の送信されるべきデータまたは制御情報を識別することであって、第1のチャネルは第1の送信優先度に関連付けられる、識別することと、第1のチャネルがTTIの一部の中の第1の送信優先度より高い第2の送信優先度に関連付けられた第2のチャネルと周波数分割多重化されると決定することと、TTIの間の第1のチャネルに対する第2の送信電力に無関係にTTIの間の第2のチャネルに対する第1の送信電力を決定することと、決定された第1の送信電力を使用してTTIの間の第2のチャネルを送信することとをプロセッサに行わせるように動作可能であり得る。
【００２９】
ワイヤレス通信用の非一時的コンピュータ可読媒体について説明する。非一時的コンピュータ可読媒体は、TTIの間の第1のチャネル内の送信されるべきデータまたは制御情報を識別することであって、第1のチャネルは第1の送信優先度に関連付けられる、識別することと、第1のチャネルがTTIの一部の中の第1の送信優先度より高い第2の送信優先度に関連付けられた第2のチャネルと周波数分割多重化されると決定することと、TTIの間の第1のチャネルに対する第2の送信電力に無関係にTTIの間の第2のチャネルに対する第1の送信電力を決定することと、決定された第1の送信電力を使用してTTIの間の第2のチャネルを送信することとをプロセッサに行わせるように動作可能な命令を含み得る。
【００３０】
上記で説明した方法、装置、または非一時的コンピュータ可読媒体のいくつかの例は、第1の送信電力および最大キャリア電力限界に少なくとも部分的に基づいて第1のチャネルに対する第2の送信電力を決定するためのプロセス、特徴、手段、または命令をさらに含み得る。上記で説明した方法、装置、および非一時的コンピュータ可読媒体のいくつかの例は、第1のチャネルのタイプに少なくとも部分的に基づいて第1の送信優先度を、および第2のチャネルのタイプに少なくとも部分的に基づいて第2のチャネルの送信優先度を決定するためのプロセス、特徴、手段、または命令をさらに含み得る。
【００３１】
上記で説明した方法、装置、および非一時的コンピュータ可読媒体のいくつかの例は、第1のチャネルのペイロードに少なくとも部分的に基づいて第1の送信優先度を、および第2のチャネルのペイロードに少なくとも部分的に基づいて第2の送信優先度を決定するためのプロセス、特徴、手段、または命令をさらに含み得る。上記で説明した方法、装置、および非一時的コンピュータ可読媒体のいくつかの例では、第1のチャネルまたは第2のチャネルは、制御もしくはデータの超高信頼低レイテンシ通信(URLLC)のために使用されるチャネル、拡張モバイルブロードバンド(eMBB)通信のために使用されるチャネル、物理アップリンク制御チャネル(PUCCH)、物理アップリンク共有チャネル(PUSCH)、またはサウンディング基準信号(SRS)送信のために使用されるチャネルのうちの1つを含む。
【００３２】
ワイヤレス通信の方法について説明する。方法は、第1の優先度グループに関連付けられた第1の送信のために使用されるべき第1の送信電力を識別するステップと、第2の優先度グループに関連付けられた第2の送信のために使用されるべき第2の送信電力を識別するステップであって、第2の送信は、第1の送信と周波数分割多重化される、ステップと、第1の送信電力と第2の送信電力との合計がしきい値を超えると決定するステップと、その決定、および第1の優先度グループの第1の優先度と第2の優先度グループの第2の優先度との比較に少なくとも部分的に基づいて第1の送信または第2の送信のいずれかを送信するステップとを含み得る。
【００３３】
ワイヤレス通信のための装置について説明する。装置は、第1の優先度グループに関連付けられた第1の送信のために使用されるべき第1の送信電力を識別するための手段と、第2の優先度グループに関連付けられた第2の送信のために使用されるべき第2の送信電力を識別するための手段であって、第2の送信は、第1の送信と周波数分割多重化される、手段と、第1の送信電力と第2の送信電力との合計がしきい値を超えると決定するための手段と、その決定、および第1の優先度グループの第1の優先度と第2の優先度グループの第2の優先度との比較に少なくとも部分的に基づいて第1の送信または第2の送信のいずれかを送信するための手段とを含み得る。
【００３４】
ワイヤレス通信のための別の装置について説明する。装置は、プロセッサ、プロセッサと電子通信しているメモリ、およびメモリに記憶された命令を含んでもよい。命令は、第1の優先度グループに関連付けられた第1の送信のために使用されるべき第1の送信電力を識別することと、第2の優先度グループに関連付けられた第2の送信のために使用されるべき第2の送信電力を識別することであって、第2の送信は、第1の送信と周波数分割多重化される、識別することと、第1の送信電力と第2の送信電力との合計がしきい値を超えると決定することと、その決定、および第1の優先度グループの第1の優先度と第2の優先度グループの第2の優先度との比較に少なくとも部分的に基づいて第1の送信または第2の送信のいずれかを送信することとをプロセッサに行わせるように動作可能であり得る。
【００３５】
ワイヤレス通信用の非一時的コンピュータ可読媒体について説明する。非一時的コンピュータ可読媒体は、第1の優先度グループに関連付けられた第1の送信のために使用されるべき第1の送信電力を識別することと、第2の優先度グループに関連付けられた第2の送信のために使用されるべき第2の送信電力を識別することであって、第2の送信は、第1の送信と周波数分割多重化される、識別することと、第1の送信電力と第2の送信電力との合計がしきい値を超えると決定することと、その決定、および第1の優先度グループの第1の優先度と第2の優先度グループの第2の優先度との比較に少なくとも部分的に基づいて第1の送信または第2の送信のいずれかを送信することとをプロセッサに行わせるように動作可能な命令を含み得る。
【００３６】
上記で説明した方法、装置、および非一時的コンピュータ可読媒体のいくつかの例は、第1の優先度グループが、第2の優先度グループより高い優先度に関連付けられ得ると決定するためのプロセス、特徴、手段、または命令をさらに含み得る。上記で説明した方法、装置、および非一時的コンピュータ可読媒体のいくつかの例は、その決定に少なくとも部分的に基づいて、第1の送信を送信して第2の送信を送信することを控えるためのプロセス、特徴、手段、または命令をさらに含み得る。
【００３７】
上記で説明した方法、装置、および非一時的コンピュータ可読媒体のいくつかの例では、第2の送信は、サウンディング基準信号(SRS)送信を含む。上記で説明した方法、装置、および非一時的コンピュータ可読媒体のいくつかの例では、第1の送信グループおよび第2の送信グループの各々は、等しい優先度を有する1つまたは複数の送信タイプに関連付けられ得る。
【００３８】
上記で説明した方法、装置、および非一時的コンピュータ可読媒体のいくつかの例では、第2の送信は、少なくとも1つのシンボル期間中の第1の送信と周波数分割多重化されてもよく、第1の送信電力と第2の送信電力との合計がしきい値を超えると決定することは、少なくとも1つのシンボル期間中の第1の送信電力と第2の送信電力との合計がしきい値を超えると決定することを含む。
【００３９】
ワイヤレス通信の方法について説明する。方法は、第1の波形を使用して第1のTTI内の送信するためのデータまたは制御情報を識別するステップと、第1の波形に関連付けられた1つまたは複数の開ループパラメータの第1のセットに少なくとも部分的に基づいてデータまたは制御情報に対する第1の送信電力を決定するステップであって、1つまたは複数の開ループパラメータの第1のセットは、第2の波形に関連付けられた1つまたは複数の開ループパラメータの第2のセットとは異なる、ステップと、決定された送信電力を使用して第1のTTI内のデータまたは制御情報を送信するステップとを含み得る。
【００４０】
ワイヤレス通信のための装置について説明する。装置は、第1の波形を使用して第1のTTI内の送信するためのデータまたは制御情報を識別するための手段と、第1の波形に関連付けられた1つまたは複数の開ループパラメータの第1のセットに少なくとも部分的に基づいてデータまたは制御情報に対する第1の送信電力を決定するための手段であって、1つまたは複数の開ループパラメータの第1のセットは、第2の波形に関連付けられた1つまたは複数の開ループパラメータの第2のセットとは異なる、手段と、決定された送信電力を使用して第1のTTI内のデータまたは制御情報を送信するための手段とを含み得る。
【００４１】
ワイヤレス通信のための別の装置について説明する。装置は、プロセッサ、プロセッサと電子通信しているメモリ、およびメモリに記憶された命令を含んでもよい。命令は、第1の波形を使用して第1のTTI内の送信するためのデータまたは制御情報を識別することと、第1の波形に関連付けられた1つまたは複数の開ループパラメータの第1のセットに少なくとも部分的に基づいてデータまたは制御情報に対する第1の送信電力を決定することであって、1つまたは複数の開ループパラメータの第1のセットは、第2の波形に関連付けられた1つまたは複数の開ループパラメータの第2のセットとは異なる、決定することと、決定された送信電力を使用して第1のTTI内のデータまたは制御情報を送信することとをプロセッサに行わせるように動作可能であり得る。
【００４２】
ワイヤレス通信用の非一時的コンピュータ可読媒体について説明する。非一時的コンピュータ可読媒体は、第1の波形を使用して第1のTTI内の送信するためのデータまたは制御情報を識別することと、第1の波形に関連付けられた1つまたは複数の開ループパラメータの第1のセットに少なくとも部分的に基づいてデータまたは制御情報に対する第1の送信電力を決定することであって、1つまたは複数の開ループパラメータの第1のセットは、第2の波形に関連付けられた1つまたは複数の開ループパラメータの第2のセットとは異なる、決定することと、決定された送信電力を使用して第1のTTI内のデータまたは制御情報を送信することとをプロセッサに行わせるように動作可能な命令を含み得る。
【００４３】
上記で説明した方法、装置、および非一時的コンピュータ可読媒体のいくつかの例は、第2のTTI内の第2の波形を使用してデータまたは制御情報の送信をスケジュールするDCIを受信するためのプロセス、特徴、手段、または命令をさらに含み得る。上記で説明した方法、装置、および非一時的コンピュータ可読媒体のいくつかの例は、DCI内に含まれるTPCコマンドに少なくとも部分的に基づいて第2のTTI内のデータまたは制御情報の送信のための第2の送信電力を決定するためのプロセス、特徴、手段、または命令をさらに含み得る。
【００４４】
上記で説明した方法、装置、および非一時的コンピュータ可読媒体のいくつかの例では、TPCコマンドは、第1のTTI内の第1の波形と第2のTTI内の第2の波形との間の遷移に関連付けられた1つまたは複数の閉ループパラメータの第1のセットを含み、1つまたは複数の閉ループパラメータの第1のセットは、同じ波形に関連付けられた連続送信に関連付けられた閉ループパラメータのうちの1つまたは複数の第2のセットとは異なってもよい。
【００４５】
上記で説明した方法、装置、および非一時的コンピュータ可読媒体のいくつかの例では、1つまたは複数の開ループパラメータの第1および第2のセットの各々は、最大キャリア電力限界、フラクショナル経路損失定数(fractional path loss constant)、信号対干渉プラス雑音比(SINR)目標P0、異なる波形に対する変調およびコーディング方式(MCS)ベースのオフセット、および閉ループステップサイズのうちの少なくとも1つを含む。上記で説明した方法、装置、および非一時的コンピュータ可読媒体のいくつかの例では、第1の波形および第2の波形の各々は、直交周波数分割多重(OFDM)波形または離散フーリエ変換(DFT)スプレッドOFDM波形を含む。
【図面の簡単な説明】
【００４６】
【図１】本開示の様々な態様による、電力制御をサポートするワイヤレス通信システムの一例を示す図である。
【図２】本開示の様々な態様による、電力制御をサポートするシステムにおけるアップリンク制御およびデータシグナリングの一例を示す図である。
【図３】本開示の様々な態様による、電力制御をサポートするシステムにおけるアップリンク制御およびデータシグナリングの一例を示す図である。
【図４】本開示の様々な態様による、電力制御をサポートするシステムにおけるアップリンク制御およびデータシグナリングの一例を示す図である。
【図５】本開示の様々な態様による、電力制御をサポートするシステムにおけるアップリンク制御およびデータシグナリングの一例を示す図である。
【図６】本開示の様々な態様による、電力制御をサポートするシステムにおけるアップリンク制御およびデータシグナリングの一例を示す図である。
【図７】本開示の様々な態様による、新無線(NR)システムにおける電力制御に対するプロセスフローの例を示す図である。
【図８】本開示の様々な態様による、新無線(NR)システムにおける電力制御に対するプロセスフローの例を示す図である。
【図９】本開示の様々な態様による、新無線(NR)システムにおける電力制御に対するプロセスフローの例を示す図である。
【図１０】本開示の様々な態様による、NRシステムにおける電力制御をサポートするデバイスのブロック図である。
【図１１】本開示の様々な態様による、NRシステムにおける電力制御をサポートするデバイスのブロック図である。
【図１２】本開示の様々な態様による、NRシステムにおける電力制御をサポートするデバイスのブロック図である。
【図１３】本開示の様々な態様による、NRシステムにおける電力制御をサポートするUEを含むシステムのブロック図である。
【図１４】本開示の様々な態様による、NRシステムにおける電力制御のための方法を示す図である。
【図１５】本開示の様々な態様による、NRシステムにおける電力制御のための方法を示す図である。
【図１６】本開示の様々な態様による、NRシステムにおける電力制御のための方法を示す図である。
【図１７】本開示の様々な態様による、NRシステムにおける電力制御のための方法を示す図である。
【図１８】本開示の様々な態様による、NRシステムにおける電力制御のための方法を示す図である。
【図１９】本開示の様々な態様による、NRシステムにおける電力制御のための方法を示す図である。
【発明を実施するための形態】
【００４７】
ワイヤレス通信システムは、基地局とユーザ機器(UE)との間のワイヤレス通信をサポートし得る。しかしながら、いくつかのワイヤレス通信システム(たとえば、新無線(NR)システム)は、他のワイヤレス通信システム(たとえば、ロングタームエボリューション(LTE)システム)と比較するとき、異なるまたは追加の特徴をサポートし得る。たとえば、新無線(NR)システムにおけるUEは、基地局に送信されるアップリンク信号を(たとえば、直交周波数分割多重(OFDM)または離散フーリエ変換(DFT)スプレッドOFDM(DFT-S-OFDM)を使用して)多重化するための異なる技法をサポートし得る。別の例では、NRシステムは、UEと基地局との間の超高信頼低レイテンシ通信(URLLC)をサポートし得る。また別の例では、NRシステムは、(たとえば、符号ブロックグループ(CBG)ベースのハイブリッド自動再送要求(HARQ)フィードバックに起因する)制御情報の基地局へのアップリンク送信に対する広範囲のペイロードをサポートし得る。
【００４８】
これらの追加の特徴がNRシステム内に導入されると仮定すると、アップリンク通信に対する送信電力を決定するための従来の技法は、非効率的である場合がある。本明細書で説明するように、ワイヤレス通信システムは、アップリンク送信に対する適切な送信電力を決定するようにUEを構成するための効率的な技法をサポートし得る。一例では、UEは、制御チャネル内の送信されるべき制御情報の効果的な符号レートに基づいて、制御チャネルに対する送信電力を決定し得る。別の例では、UEは、制御チャネル内の制御情報の反復送信に対して異なる送信電力を使用するように構成されてもよい。また別の例では、UEは、時間間隔内にスケジュールされた他の送信に対する送信の優先度に基づいて、時間間隔内の送信に対する送信電力を決定するかまたは、時間間隔内の送信をスケーリングするように構成されてもよい。また別の例では、UEは、異なる開ループパラメータを使用して異なるように多重化されたアップリンク送信に対するそれぞれの送信電力を決定するように構成され得る。
【００４９】
上で紹介された本開示の態様が、以下でワイヤレス通信システムの文脈で説明される。次いで、NRシステムにおける電力制御をサポートするプロセスおよびシグナリング交換の例が説明される。本開示の態様はさらに、NRシステムにおける電力制御に関する装置図、システム図、およびフローチャートによって示され、それらを参照しながら説明される。
【００５０】
図1は、本開示の様々な態様による、電力制御をサポートするワイヤレス通信システム100の一例を示す。ワイヤレス通信システム100は、基地局105と、UE115と、コアネットワーク130とを含む。いくつかの例では、ワイヤレス通信システム100は、LTEネットワーク、LTEアドバンスト(LTE-A)ネットワーク、またはNRネットワークであってもよい。場合によっては、ワイヤレス通信システム100は、拡張モバイルブロードバンド(eMBB)通信、超高信頼(すなわち、ミッションクリティカル)通信、低レイテンシ通信(たとえば、超高信頼低レイテンシ通信(URLLC))、および低コストで低複雑度のデバイスとの通信をサポートしてもよい。
【００５１】
基地局105は、1つまたは複数の基地局アンテナを介してUE115とワイヤレスに通信することがある。各基地局105は、それぞれの地理的カバレッジエリア110に通信カバレッジを提供することがある。ワイヤレス通信システム100において示される通信リンク125は、UE115から基地局105へのアップリンク送信または基地局105からUE115へのダウンリンク送信を含んでもよい。制御情報およびデータは、様々な技法に従ってアップリンクチャネルまたはダウンリンクチャネル上で多重化されてもよい。制御情報およびデータは、たとえば、時分割多重(TDM)技法、周波数分割多重(FDM)技法、またはハイブリッドTDM-FDM技法を使用して、ダウンリンクチャネル上で多重化され得る。いくつかの例では、ダウンリンクチャネルの送信時間間隔(TTI)の間に送信される制御情報は、異なる制御領域の間で(たとえば、共通制御領域と1つまたは複数のUE固有制御領域との間で)カスケード方式で分散され得る。
【００５２】
UE115は、ワイヤレス通信システム100の全体にわたって分散されることがあり、各UE115は、固定またはモバイルであり得る。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115はまた、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、インターネットオブエブリシング(IoE:Internet of Everything)デバイス、マシンタイプ通信(MTC)デバイス、機器、自動車などであってもよい。
【００５３】
基地局105は、コアネットワーク130と通信し、互いと通信し得る。たとえば、基地局105は、バックホールリンク132(たとえば、S1など)を通じてコアネットワーク130とインターフェースし得る。基地局105は、バックホールリンク134(たとえば、X2など)を介して、直接または間接的に(たとえば、コアネットワーク130を通じて)のいずれかで互いと通信し得る。基地局105は、UE115との通信のための無線構成およびスケジューリングを実行し得るか、または基地局コントローラ(図示せず)の制御下で動作し得る。いくつかの例では、基地局105は、マクロセル、スモールセル、ホットスポットなどであってよい。基地局105は、発展型ノードB(eNB)105と呼ばれることもある。
【００５４】
基地局105は、S1インターフェースによってコアネットワーク130に接続され得る。コアネットワークは発展型パケットコア(EPC:Evolved Packet Core)であってよく、発展型パケットコア(EPC)は、少なくとも1つのモビリティ管理エンティティ(MME:Mobility Management Entity)、少なくとも1つのサービングゲートウェイ(S-GW:Serving Gateway)、および少なくとも1つのパケットデータネットワーク(PDN:Packet Data Network)ゲートウェイ(P-GW)を含んでよい。MMEは、UE115とEPCとの間のシグナリングを処理する制御ノードであってよい。すべてのユーザインターネットプロトコル(IP)パケットは、それ自体がP-GWに接続され得るS-GWを通して転送されてもよい。P-GWは、IPアドレス割振りならびに他の機能を提供し得る。P-GWは、ネットワーク事業者のIPサービスに接続され得る。事業者IPサービスは、インターネット、イントラネット、IPマルチメディアサブシステム(IMS:IP Multimedia Subsystem)、およびパケット交換(PS:Packet-Switched)ストリーミングサービスを含んでよい。
【００５５】
LTEまたはNRにおける時間間隔は、(Ts=1/30,720,000秒のサンプリング周期であり得る)基本時間単位の倍数で表され得る。時間リソースは、0から1023にわたるシステムフレーム番号(SFN)によって識別され得る、10ms(Tf=307200Ts)の長さの無線フレームに従って編成され得る。各フレームは、0から9の番号を付けられた10個の1msサブフレームを含み得る。サブフレームは、さらに2つの0.5msスロットに分割されてよく、スロットの各々は、(各シンボルの先頭に付加されたサイクリックプレフィックスの長さに応じて)6個または7個の変調シンボル期間を含む。サイクリックプレフィックスを除いて、各シンボルは2048個のサンプル期間を含む。
【００５６】
ワイヤレス通信システム100では、TTIは、基地局105がアップリンク送信またはダウンリンク送信のためにUE115をスケジュールし得る時間の最小単位として定義され得る。一例として、基地局105は、UE115とのダウンリンク通信のために1つまたは複数のTTIを割り振ってよい。UE115は、次いで、1つまたは複数のTTIを監視して、基地局105からダウンリンク信号を受信することができる。いくつかのワイヤレス通信システム(たとえば、LTE)では、サブフレームは、スケジューリングまたはTTIの基本単位であり得る。低レイテンシ動作を用いるような、他の場合には、異なる、持続時間が低減されたTTI(たとえば、ショートTTI)を使用することができる(たとえば、ミニスロット)。ワイヤレス通信システム100は、LTEおよびNRに関連する他のタイプの通信に加えて、URLLCおよびeMBB通信を促進するTTI持続時間を含めて、様々なTTI持続時間を採用し得る。
【００５７】
リソース要素は、1つのシンボル期間および1つのサブキャリア(たとえば、15kHz周波数範囲)からなり得る。場合によっては、システムにおいて採用されるヌメロロジー(すなわち、シンボルサイズ、サブキャリアサイズ、シンボル期間持続時間、またはTTI持続時間)は、通信のタイプに基づいて選択または判定され得る。ヌメロロジーは、たとえば、低レイテンシ適用例のためのレイテンシと他の適用例のための効率との間の固有のトレードオフに鑑みて、選択または判定され得る。場合によっては、eMBB通信のために割り振られる時間スロットの持続時間は、URLLCのために割り振られる時間スロットの持続時間よりも長い場合がある。URLLCのために割り振られた時間スロットは、ミニスロットと呼ばれることがある。
【００５８】
ワイヤレス通信システム100では、UE115は、SRSを基地局105に送信するように基地局105によって構成され得る。SRS送信は、基地局105が、UE115とのアップリンク通信のために高品質のリソースを割り振ることができるように、基地局105がチャネルのチャネル品質を推定することを可能にし得る。いくつかの例では、SRS送信は、システム帯域幅にわたってリソースの品質を基地局が推定することを可能にするために、全システム帯域幅に及ぶ場合がある。他の例では、しかしながら、SRS送信は、制御情報およびデータの送信と(たとえば、ワイヤレス通信システム100において)周波数分割多重化される場合がある。SRS送信に加えて、低レイテンシ送信などの他の送信は、NRシステムにおいて制御情報、データ、およびSRSの送信と周波数分割多重化される場合がある。
【００５９】
したがって、上記で導かれたように、ワイヤレス通信システム100は、他のワイヤレス通信システムと比較するとき、異なるまたは追加の特徴をサポートし得る。これらの追加の特徴がワイヤレス通信システム100においてサポートされると仮定すると、アップリンク通信に対する送信電力を決定するための従来の技法は、非効率的である場合がある。本明細書で説明するように、ワイヤレス通信システム100は、アップリンク送信に対する適切な送信電力を決定するようにUE115を構成するための効率的な技法をサポートし得る。一例では、UE115は、制御チャネル内の送信されるべき制御情報の効果的な符号レートに基づいて、制御チャネルに対する送信電力を決定し得る。別の例では、UE115は、制御チャネル内の制御情報の反復送信に対して異なる送信電力を使用するように構成されてもよい。また別の例では、UE115は、時間間隔内にスケジュールされた他の送信に対する送信の優先度に基づいて、時間間隔内の送信に対する送信電力を決定するか、または時間内の送信をスケーリングするように構成されてもよい。また別の例では、UE115は、異なる開ループパラメータを使用して異なるように多重化されたアップリンク送信に対するそれぞれの送信電力を決定するように構成されてもよい。
【００６０】
図2は、本開示の様々な態様による、電力制御をサポートするシステムにおけるアップリンク制御およびデータシグナリング200の一例を示す。基地局105は、UE115とのアップリンク通信に対してリソースブロック205のセットを割り振り得る。具体的には、UE115は、サブフレーム210のスロット215の間のアップリンク制御情報(たとえば、PUCCH220)およびアップリンクデータ(たとえば、PUSCH225)を送信するようにスケジュールされ得る。図示のように、PUCCH220に対して割り振られるリソースは、PUSCH225に対して割り振られるリソースとは異なるシステム帯域幅の部分に及び得る。すなわち、PUSCH送信は、PUCCH送信と周波数分割多重化され得る。
【００６１】
場合によっては、基地局105は、特定のフォーマット(たとえば、PUCCHフォーマット1)を使用してPUCCH220内のアップリンク制御情報を送信するようにUE115を構成してもよい。加えて、いくつかのワイヤレス通信システム(たとえば、LTEシステム)では、基地局105は、PUCCH送信のフォーマットに基づいてPUCCH送信に対するリソースブロック内の特定の送信電力を使用するようにUE115を構成してもよい。具体的には、基地局105は、PUCCH送信のフォーマットに基づいて(たとえば、送信電力コマンド(TPC)内の)電力オフセットをUE115に送信してもよく、UE115は、電力オフセットを使用してPUCCH送信に対する送信電力を調整してもよい。一例では、PUCCHフォーマット4および5に対して、オフセットは、10*log10Mに等しく、ここでMは、PUCCH送信に対して割り振られたリソースブロックの数に対応する。
【００６２】
しかしながら、他のワイヤレス通信システム(たとえば、NRシステム)では、PUCCH送信のために使用されるリソースブロック(またはリソース要素)の数は、変化する場合がある。たとえば、PUCCH送信のために使用されるリソースブロック(またはリソース要素)の数は、他の送信のためにパンクチャリングされるPUCCH220内のリソースブロック(またはリソース要素)の数に基づいて変化する場合がある。さらに、PUCCH送信のために使用されるリソースブロック(またはリソース要素)の数は、PUCCH220内の送信されるべき制御情報のペイロードサイズに基づいて変化する場合がある。したがって、PUCCH送信のフォーマットのみに基づいてPUCCH送信に対する特定の送信電力を用いて基地局105がUE115を構成することは、非効率的である場合がある。本明細書で説明するように、ワイヤレス通信システム(たとえば、ワイヤレス通信システム100)におけるUE115は、PUCCH220内の制御情報を送信するために使用する送信電力を決定するための効率的な技法をサポートし得る。
【００６３】
具体的には、UE115は、PUCCH220に対して割り振られるリソースブロックの帯域幅もしくは数、PUCCH220内の送信されるべき制御情報のペイロードサイズ、PUCCH220内の送信されるべき制御情報を符号化するために使用される符号化方式(たとえば、Reed-Muller符号またはpolar符号)、(たとえば、低レイテンシ通信のために)PUCCH220内で使用されるリソースブロック(またはリソース要素)の数、またはそれらの組合せに基づいて、PUCCH送信に対する送信電力を決定し得る。いくつかの例では、UE115は、たとえば、PUCCH220に対して割り振られるリソースブロックの帯域幅もしくは数、PUCCH220内の送信されるべき制御情報のペイロードサイズ、およびPUCCH220内で使用されるリソースブロック(またはリソース要素)の数に基づいて、PUCCH220内の送信されるべき制御情報の効果的な符号レートを導出し得る。
【００６４】
そのため、UE115がPUCCH送信に対する効果的な符号レートを識別すると、UE115は、効果的な符号レートに基づいてPUCCH送信に対する送信電力を識別し得る。他の例では、UEは、PUCCH送信のフォーマットおよびPUCCH送信に対して利用可能な帯域幅(たとえば、リソースブロックの数)に基づいてPUCCH送信に対する送信電力を調整するために使用する第1のオフセットを識別してもよく、UE115は、上記で説明した効果的な符号レートに基づいてPUCCH送信に対する送信電力をさらに調整するために使用する第2のオフセットを識別してもよい。
【００６５】
図3は、本開示の様々な態様による、電力制御をサポートするシステムにおけるアップリンク制御およびデータシグナリング300の一例を示す。基地局105は、UE115とのアップリンク通信に対してリソースブロック305のセットを割り振り得る。具体的には、UE115は、サブフレーム310のスロット315の間のアップリンク制御情報(たとえば、反復されるPUCCH320および他のPUCCH325)およびアップリンクデータ(たとえば、PUSCH330)を送信するようにスケジュールされ得る。図示のように、PUCCH送信に対して割り振られるリソースは、PUSCH送信に対して割り振られるリソースとは異なるシステム帯域幅の部分に及び得る。すなわち、PUSCH送信に対して割り振られるリソースは、PUCCH送信に対して割り振られるリソースと周波数分割多重化され得る。
【００６６】
場合によっては、基地局105は、サブフレーム310-aの第1のスロット315-aの間のPUCCH320内のアップリンク制御送信を送信するようにUE115を構成してもよい。基地局はまた、スロット315-a内の制御情報を送信するために使用する送信電力を用いてUE115を構成してもよい。場合によっては、基地局は、スロット315aおよびスロット315-bの中の制御情報を同じ送信電力で送信するようにUE115を構成してもよい。場合によっては、基地局は、スロット315aおよびスロット315-bの中の制御情報を異なる送信電力で送信するようにUE115を構成してもよい。いくつかのワイヤレス通信システム(たとえば、NRシステム)では、第1のスロット315-aの間の制御情報を送信した後、UE115は、後続のスロット315-c内の制御情報の送信を反復することを決定してもよい。本明細書で説明する技法は、後続のスロット内の制御情報の反復送信に対する(たとえば、反復されるPUCCH320に対する)送信電力をUE115が決定することを可能にする。
【００６７】
一例では、UE115は、同じ送信電力を使用して、スロット315-c内の制御情報の送信を反復し得る。具体的には、UE115は、スロット315-a内の制御情報を送信するために使用される送信電力を決定するために使用されたものと同じパラメータに基づいて、スロット315-c内の制御情報の反復送信のために使用する送信電力を決定し得る。別の例では、UE115は、スロット315-a内の制御情報を送信するために使用される第1の送信電力とは異なる、スロット315-c内の制御情報の送信を反復するための第2の送信電力を使用してもよい。場合によっては、基地局は、スロット315cおよびスロット315-dの中の制御情報を同じ送信電力で送信するようにUE115を構成してもよい。場合によっては、基地局は、スロット315cおよびスロット315-dの中の制御情報を異なる送信電力で送信するようにUE115を構成してもよい。いくつかの例では、制御情報は、第1のビーム方向内にスロット315-a内で送信されてもよく、制御情報は、第2のビーム方向内のスロット315-c内の送信において反復される場合がある。
【００６８】
そのような例および他の例では、UE115は、(たとえば、第1のビーム方向に関連する)第1の経路損失に基づいて第1の送信電力を決定してもよく、UE115は、(たとえば、第2のビーム方向に関連する)第2の経路損失に基づいて第2の送信電力を決定してもよい。加えて、SINR目標、フラクショナル経路損失要因アルファ、または制御フォーマット(たとえば、PUCCHフォーマット)に基づくオフセットなどの開ループ電力制御パラメータのいずれかが、第1の送信と反復送信との間の時間間隔内で再構成される場合、更新されたパラメータが、反復送信のために使用され得る。さらに、図2を参照しながら説明される効果的な符号レートの計算は、異なる反復送信によって経験されるパンクチャリングの量における差異を考慮する場合がある。
【００６９】
追加または代替として、UE115は、基地局105から受信されたDCI内に含まれるTPCコマンド内の第2の送信電力の表示を受信する場合がある。いくつかの例では、制御情報の反復送信に対する送信電力を構成するために使用されるDCIは、専用のフォーマット(たとえば、DCIフォーマット3、3A、6-0A、または6-1Aのうちの1つ)を有する場合がある。さらに、送信電力構成(たとえば、送信電力オフセット)は、DCI内の情報が、制御情報の反復送信(または制御情報の特定の反復送信)に適用可能であることの表示を含んでもよく、DCIは、DCIが受信された時間間隔から一定の遅延の後にスケジュールされたそのような反復送信に適用されてもよい。たとえば、特定のスロット内で受信されたDCI内に含まれるTPCコマンドは、DCIによってトリガされるPUCCH送信を含んでも含まなくてもよい後続のスロット内のPUCCH送信に適用され得る。図3を参照しながら説明する技法はまた、アップリンクデータの反復送信(たとえば、PUSCH反復)のために使用されてもよい。
【００７０】
図4は、本開示の様々な態様による、電力制御をサポートするシステムにおけるアップリンク制御およびデータシグナリング400の一例を示す。基地局105は、UE115とのアップリンク通信に対してリソースブロック405のセットを割り振り得る。具体的には、UE115は、サブフレーム410のスロット415の間のアップリンク制御情報(たとえば、PUCCH425)、アップリンクデータ(たとえば、PUSCH430)、およびSRSを送信するようにスケジュールされ得る。図示のように、PUCCH送信に対して割り振られるリソースは、PUSCH送信に対して割り振られるリソースとは異なるシステム帯域幅の部分に及び得る。すなわち、PUSCH送信に対して割り振られるリソースは、PUCCH送信に対して割り振られるリソースと周波数分割多重化され得る。
【００７１】
場合によっては、基地局105は、PUCCH425内のアップリンク制御情報を、およびPUSCH430内のアップリンクデータを送信するようにUE115を構成してもよい。いくつかのワイヤレス通信システム(たとえば、LTEシステム)では、時間間隔の制御チャネルおよびデータチャネルは、時間間隔全体に対して重複してもよい。そのような場合、UE115は、最大キャリア電力限界に基づいてPUCCH送信に対する送信電力を決定してもよく、UE115は、PUCCH送信のために使用される送信電力および最大キャリア電力限界(たとえば、PCMaxc-PPUCCH)に基づいてPUSCH送信に対する送信電力を決定してもよい。
【００７２】
しかしながら、他のワイヤレス通信システム(たとえば、NRシステム)では、基地局は、PUCCH送信およびPUSCH送信をスケジュールしてもよく、PUSCH送信のフラクションが、PUCCH送信と重複してもよい。すなわち、PUSCH送信のフラクションは、(たとえば、スロット415-a内の)PUCCH送信と周波数分割多重化されてもよい。場合によっては、PUSCH送信およびPUCCH送信に対する適切な送信電力をUE115が決定することは、困難な課題となる場合がある。本明細書で説明するように、UE115は、PUSCH送信のフラクション(または部分)が、PUCCH送信と周波数分割多重化されるとき、PUSCH送信およびPUCCH送信に対する送信電力を決定するための効率的な技法をサポートし得る。
【００７３】
具体的には、UE115は、スロット415-aの第1の部分420-aおよびスロット415-aの第2の部分420-bの間のPUSCHおよびPUCCHの送信に対する送信電力を決定するための効率的な技法をサポートし得る。一例では、UE115は、最大キャリア電力限界に基づいておよびPUCCH送信のために使用されるべき送信電力とは無関係に、スロット415-a内のPUSCH送信に対する送信電力を決定し得る。別の例では、UE115は、最大キャリア電力限界およびPUCCH送信のために使用されるべき送信電力に基づいて、スロット415-aの第1の部分420-a内のPUSCH送信に対する送信電力を決定してもよく、UE115は、最大キャリア電力限界に基づいておよびPUCCH送信のために使用されるべき送信電力とは無関係に、スロット415-aの第2の部分420-b内のPUSCH送信に対する送信電力を決定してもよい。
【００７４】
すなわち、UE115は、スロット415-aの第1の部分420-a内のPUCCH送信に対する電力を保有してもよく、(たとえば、スロット415-aの第1の部分420-a内のPUCCH送信のために保有される電力を補償するために)スロット415-aの第2の部分420-b内のPUSCH送信に対する電力を増加させてもよい。いくつかの態様では、スロット415-aの第2の部分420-b内のPUSCH送信のために使用される電力は、スロット415-a内のPUSCH送信のために使用される全電力が、PUSCH送信がPUCCH送信と周波数分割多重化されなかった場合に使用されるであろう送信電力に類似する公称値のままとなるように増加されてもよい。
【００７５】
別の態様では、UE115は、PUCCHと時間において重複するPUSCHの部分に基づいてPUSCHの送信電力を決定してもよく、次いで、その同じPUSCH送信電力を、全PUSCH持続時間に対して、またはPUSCH反復が採用されるときにはその特定のPUSCHの反復の持続時間に対して使用してもよい。さらに、図4はスロット415-aの終端における第1の部分420-a内のPUCCH425の一例を示すが、PUCCH425は、スロット415-aの他の部分に及ぶことができる(たとえば、PUCCHはスロット415-aの始端にあることができる)ことを理解されたい。
【００７６】
図5は、本開示の様々な態様による、電力制御をサポートするシステムにおけるアップリンク制御およびデータシグナリング500の一例を示す。基地局105は、UE115とのアップリンク通信に対してリソースブロック505のセットを割り振り得る。具体的には、UE115は、サブフレーム510のスロット515の間のアップリンク制御情報(たとえば、PUCCH520)、アップリンクデータ(たとえば、PUSCH525)、およびSRS535を送信するようにスケジュールされ得る。図示のように、PUCCH送信に対して割り振られるリソースは、PUSCH送信に対して割り振られるリソースとは異なるシステム帯域幅の部分に及び得る。すなわち、PUSCH送信に対して割り振られるリソースは、PUCCH送信に対して割り振られるリソースと周波数分割多重化され得る。
【００７７】
場合によっては、基地局105は、PUCCH520内のアップリンク制御情報を、およびPUSCH525内のアップリンクデータを送信するようにUE115を構成してもよい。上記で説明したように、PUCCH520内のアップリンク制御情報の送信およびPUSCH525内のアップリンクデータの送信は、周波数分割多重化され得る。それに応じて、いくつかのワイヤレス通信システム(たとえば、LTEシステム)では、制御情報のアップリンク送信に対する送信電力は、最大キャリア電力限界に基づいて決定されてもよく、PUSCH送信に対する送信電力は、PUCCH送信のために使用される送信電力および最大キャリア電力限界に基づいて決定されてもよい。
【００７８】
しかしながら、他のワイヤレス通信システム(たとえば、NRシステム)では、他の送信は、PUSCH送信およびPUCCH送信と周波数分割多重化されてもよい。たとえば、SRS送信535およびパンクチャリングされた低レイテンシ送信(たとえば、高優先度送信530)は、PUSCH送信およびPUCCH送信と周波数分割多重化されてもよい。さらに、これらの異なるタイプの送信の各々は、異なる優先度に関連付けられてもよい。本明細書で説明する技法は、たとえば、異なる送信に関連付けられた優先度に基づいて、他のアップリンク送信と周波数分割多重化され得るアップリンク送信に対する適切な送信電力をUE115が決定することを可能にする。
【００７９】
場合によっては、PUSCH送信に対して割り振られるリソースブロックのセットは、高優先度送信530(たとえば、超高信頼低レイテンシ送信)に対してパンクチャリングされてもよい。送信が、同じかまたは重複するリソースに対してスケジュールされた他の送信に優先するかまたは(たとえば、パンクチャリングを使用して)先取りする場合、送信は、高優先度送信530であると見なされてもよい。高優先度送信530は、より低い優先度のPUSCH送信およびより低い優先度のPUCCH送信をパンクチャリングしてもよい。場合によっては、UE115は、高優先度送信530を優先させてもよく、最大キャリア電力限界に基づいておよび高優先度送信530と周波数分割多重化されたアップリンク送信のために使用される他の送信電力とは無関係に、高優先度送信530に対する送信電力を決定してもよい。たとえば、高優先度送信530は、スロット515-b内のアップリンク低レイテンシデータまたは制御送信であってもよく、UE115は、最大キャリア電力限界に基づいておよび他の送信電力(たとえば、スロット515-b内のPUCCH520、PUSCH525およびSRS送信535に対する送信電力)とは無関係に、低レイテンシデータまたは制御送信に対するアップリンク送信電力を決定してもよい。
【００８０】
UE115が高優先度送信530に対する送信電力を決定すると、UE115は、(たとえば、PUCCH送信はスロット515-b内で2番目に高い優先度に関連付けられ得るので)最大キャリア電力限界および高優先度送信530に対する送信電力(たとえば、PCMaxc-PURLLC)に基づいてスロット515-b内のPUCCH送信に対する送信電力を決定してもよい。次いで、UE115は、最大キャリア電力限界ならびに高優先度送信530およびPUCCH送信520に対する送信電力(たとえば、PCMaxc-PPUCCH-PURLLC)に基づいてSRS送信に対する送信電力と、最大キャリア電力限界ならびに高優先度送信530、PUCCH送信520およびSRS送信535に対する送信電力(たとえば、PCMaxc-PSRS-PPUCCH-PURLLC)に基づいてPUSCH送信に対する送信電力とを決定し得る。
【００８１】
したがって、本明細書で説明する技法を使用して、UE115は、複数の送信に関連付けられた優先度に基づいて、時間間隔(たとえば、スロット515-bまたはスロット515のうちの1つのシンボル)内に周波数分割多重化される複数の送信に対する送信電力を決定し得る。上記で説明した例は、時間間隔内に周波数分割多重化され得る異なるタイプの送信の網羅的なリストを含んでいないが、UE115は、異なるタイプの送信に関連付けられた優先度に基づいてそのような異なるタイプの送信に対する送信電力を決定するために同じ技法を適用し得ることを理解されたい。
【００８２】
一例として、制御情報の低レイテンシアップリンク送信は、データの低レイテンシアップリンク送信より高い優先度に関連付けられ得る。したがって、本明細書で説明する技法を使用して、低レイテンシ制御情報の送信に対する送信電力は、より高い優先度送信の送信電力に基づいておよび低レイテンシデータ送信などのより低い優先度の送信の送信電力とは無関係に決定され得る。同様に、いくつかのタイプのトラフィックは、他のタイプのトラフィックより高い優先度に関連付けられてもよく、あるタイプのトラフィックを送信するために使用される送信電力は、そのタイプのトラフィック(たとえば、URLLCトラフィック、eMBBなど)の優先度に基づいて決定されてもよい。さらに、いくつかのペイロードは、他のペイロードより高い優先度に関連付けられてもよく、いくつかのペイロードを送信するために使用される送信電力は、ペイロードの優先度に基づいて決定されてもよい。たとえば、ACKを含むeMBB PUCCHは、低レイテンシデータパケットより高い優先度に関連付けられてもよい。
【００８３】
図6は、本開示の様々な態様による、電力制御をサポートするシステムにおけるアップリンク制御およびデータシグナリング600の一例を示す。基地局105は、UE115とのアップリンク通信に対してリソースブロック605のセットを割り振り得る。具体的には、UE115は、サブフレーム610のスロット615の間のアップリンク制御情報(たとえば、PUCCH620)、アップリンクデータ(たとえば、PUSCH625)、およびSRS635を送信するようにスケジュールされ得る。図示のように、PUCCH送信に対して割り振られるリソースは、PUSCH送信に対して割り振られるリソースとは異なるシステム帯域幅の部分に及び得る。すなわち、PUSCH送信に対して割り振られるリソースは、PUCCH送信に対して割り振られるリソースと周波数分割多重化され得る。
【００８４】
場合によっては、基地局105は、PUCCH620内のアップリンク制御情報を、およびPUSCH625内のアップリンクデータを送信するようにUE115を構成してもよい。上記で説明したように、PUCCH620内の制御情報のアップリンク送信およびPUSCH内のデータのアップリンク送信は、周波数分割多重化されてもよい。それに応じて、いくつかのワイヤレス通信システム(たとえば、LTEシステム)では、ある時間間隔(たとえば、スロット615)内のアップリンク送信に対する送信電力は、最大キャリア電力限界以下になるようにスケーリングされてもよい。すなわち、UE115は、時間間隔内のアップリンク送信の総送信電力が最大キャリア電力限界以下になるように、時間間隔内の信号の一部の送信を控えるように構成されてもよい。
【００８５】
しかしながら、他のワイヤレス通信システム(たとえば、NRシステム)では、他の送信は、PUSCH送信およびPUCCH送信と周波数分割多重化されてもよい。たとえば、SRS送信およびパンクチャリングされた低レイテンシ送信は、PUSCH送信およびPUCCH送信と周波数分割多重化されてもよい。さらに、これらの異なるタイプの送信の各々は、異なる優先度に関連付けられてもよい。本明細書で説明する技法は、時間間隔内の総送信電力が最大キャリア電力限界以下になるように、時間間隔内に周波数分割多重化されたアップリンク送信をUE115が適切にスケーリングすることを可能にする。
【００８６】
一例では、UE115は、時間間隔内の総送信電力が最大より低いままとなるように、既定のルールに基づいて一定のタイプの信号の送信を控え得る。たとえば、UE115は、スロット615-a内の総電力が最大キャリア電力限界を超えると決定し得、いくつかの例では、UE115は、スロット615-a内のSRSの送信を控えるように構成され得る。それに応じて、スロット615-a内のスケーリングされた送信640は、UE115が、最大キャリア電力限界以下の総送信電力を用いて他のアップリンク信号を送信することができるように、スロット615-a内の総送信電力を低減し得る。
【００８７】
別の例では、UE115は、スロット615内のアップリンク送信を優先度グループ(たとえば、3つまたは4つのグループ)にソートしてもよく、各グループは、等しい優先度を有する1つまたは複数の送信を含む。図6の例では、UE115は、PUCCH送信620を第1の優先度グループに、PUSCH送信625を第2の優先度グループに、SRS送信635を第3の優先度グループに、および高優先度送信630を第4の優先度グループにソートしてもよい。図示のように、PUSCH送信を含む第2の優先度グループは、最低優先度の優先度グループに関連付けられてもよい。それに応じて、スロット615-b内の総電力が最大キャリア電力限界を超えるとUE115が決定する場合、UE115は、PUSCH送信625をスケーリングする(すなわち、スロット615-b内のスケーリングされた送信640)ように構成されてもよい。
【００８８】
PUSCH送信をスケーリングした後、UE115は、スロット615-b内の総送信電力は依然として最大キャリア電力限界より大きいと決定する場合がある。それに応じて、UE115は、スロット615-b内のPUCCH送信が第2の最低優先度の優先度グループに関連付けられていると決定し得、UE115はスロット615-b内のPUCCH送信620をスケーリングし得る。いくつかの(図示の)例では、UEは、スロット615-b内のPUCCH送信620の一部をスケーリングするように構成されてもよい。しかしながら、他の例(図示せず)では、UE115は、スロット615-b内のすべてのPUCCH送信620をスケーリングするように構成されてもよい。すなわち、最低優先度に関連付けられた優先度グループ内のすべての送信をスケーリングした後、時間間隔内の送信電力が、最大キャリア電力限界を超えたままである場合、UE115は、第2の最低優先度に関連付けられた優先度グループ内のすべての送信をスケーリングしてもよい。
【００８９】
また別の例では、UE115は、スロット615内のアップリンク送信を優先度グループにソートしてもよく、各グループは、等しい優先度を有する1つまたは複数の送信を含む。そして、UE115は、グループ内の送信をスケーリングするかどうかを決定するために各グループを分析し得る。たとえば、UE115は、最高優先度グループで始動し、UEは、最高優先度グループ内の信号を送信するために使用されるべき送信電力が、最大キャリア電力限界内に収まるかどうか(すなわち、最高優先度グループ内の信号を送信するのに十分な電力があるかどうか)を決定し得る。最高優先度グループ内の信号を送信するのに十分な送信電力があるとUEが決定する場合、UEは、最高優先度グループ内の信号を送信するための電力を保有し得る。
【００９０】
次いで、UE115は、(たとえば、最高優先度グループ内の信号を送信するための電力を保有した後)、第2の最高優先度グループ内の信号を送信するのに十分な送信電力があるかどうかを決定し得る。UE115は、特定の優先度グループ内の信号を送信するのに十分な電力が利用可能でなくなるまで、各優先度グループ内の信号を送信するのに十分な電力があるかどうかを決定するこのプロセスを継続し得る。そのような場合、UE115は、特定の優先度グループおよびより低い優先度を有する優先度グループ内の信号を送信するのを控える場合がある。代替的に、UE115は、特定の優先度グループ内の信号を送信するのに十分な電力があるようにスケーリングされた電力レベルを有する特定の優先度グループに関連付けられた信号を送信してもよく、UE115は、より低い優先度を有する優先度グループ内の信号の送信を控えてもよい。これらの技法を使用して、UE115は、電力スケーリングの前に適用される電力方式(power formula)に基づいて、最高優先度グループ内の信号を送信するのに十分な電力を有することを保証され得る。
【００９１】
上記で説明した技法はスロット615内で電力スケーリングを実行することに関するが、UE115は、一シンボル内の総送信電力が最大キャリア電力限界以下になるように、一シンボル内で周波数分割多重化されたアップリンク送信をスケーリングすることができることを理解されたい。加えて、上記で説明した技法は、全TTIの間で重複する送信をスケーリングすることに関するが、上記で説明した技法は、TTIの一部の中で重複する送信をスケーリングすることにも適用され得る。そのような場合、UE115が、1つのTTI内で別のアップリンク送信と部分的に重複するアップリンク送信をスケーリングすることを決定する場合、UE115は、TTI内で他のアップリンク送信と重複するアップリンク送信の一部ではなく、全アップリンク送信をスケーリングし得る。加えて、UE115は、1つまたは複数の送信が反復されるかどうかを決定することに基づいて、どの送信をスケーリングするかを決定し得る。
【００９２】
上記で説明した技法に加えてまたはその代替として、本明細書で説明するUE115は、多様な波形(たとえば、DFT-S-OFDM波形およびOFDM波形)に関連付けられたアップリンク送信に対する適切な送信電力を決定するように構成され得る。具体的には、本明細書で説明する技法は、送信のために使用される波形に応じて異なるパラメータに基づいて、制御情報またはデータのアップリンク送信に対する送信電力をUE115が決定することを可能にする。一例では、基地局105は、アップリンク送信がDFT-S-OFDM波形を使用して多重化されるべきかまたはOFDM波形を使用して多重化されるべきかに応じて、アップリンク送信に対する適切な送信電力を用いてUE115を構成するために、独立した閉ループパラメータ(またはTPCコマンド)を使用し得る。
【００９３】
別の例では、基地局105は、アップリンク送信に対する適切な送信電力を用いてUE115を構成するために共通の閉ループパラメータ(またはTPCコマンド)を使用してもよく、基地局105は、異なる波形を使用して多重化されたアップリンク送信に対する適切な送信電力を用いてUE115を構成するために異なる開ループパラメータを使用してもよい。たとえば、基地局は、アップリンク送信がDFT-S-OFDMを使用するかまたはOFDMを使用するかに応じて、アップリンク送信に対する適切な送信電力を用いてUE115を構成するために、異なるP0(SINR目標)値、異なるフラクショナル経路損失定数、および異なるMCSベースまたは符号レートベースのオフセットを識別してもよい。
【００９４】
一例では、基地局105は、DFT-S-OFDMを使用するアップリンク送信に対する第1の送信電力オフセットパラメータを提供してもよく、基地局105は、OFDMを使用するアップリンク送信に対する第2の送信電力オフセットパラメータ(たとえば、第1の送信電力オフセットパラメータと組み合わせて使用されるべき相対的な送信電力オフセットパラメータ)を提供してもよく、その逆も同様である。いくつかの態様では、相対的な送信電力オフセットパラメータは、アップリンク送信の変調次数またはコーディングレートによって決まる場合がある。たとえば、基地局105は、低い変調次数(たとえば、4位相シフトキーイング(QPSK))またはコーディングレートに関連付けられたアップリンク送信に対する相対的な送信電力オフセットを提供しない場合があり、基地局105は、高い変調次数(たとえば、16-直交振幅変調(QAM)または64-QAM)または高いコーディングレートに関連付けられたアップリンク送信に対する相対的な送信電力オフセットパラメータを提供する場合がある。
【００９５】
上記で説明した技法に加えて、基地局105はまた、OFDMを使用する前のアップリンク送信に続いて、DFT-S-OFDMを使用するアップリンク送信に対する適切な送信電力を用いてUE115を構成してもよく、その逆も同様である。具体的には、UE115が、アップリンク送信に対する多重化技法(すなわち、DFT-S-OFDMおよびOFDM)の間を切り替えるように構成されるとき、基地局105は、TPCコマンド内で異なる(たとえば、より大きい)ステップサイズ(またはオフセット)を提供し得る。これらのステップサイズは、等しく多重化された(すなわち、DFT-S-OFDMまたはOFDMのいずれかを使用して)連続するアップリンク送信に対するTPCコマンド内に含まれるステップサイズ(またはオフセット)より大きい場合がある。
【００９６】
それに応じて、これらの技法を使用して、UE115は、DFT-S-OFDM送信に続くOFDM送信に対して、定常状態電力レベルをより速く識別することができ、その逆も同様である。上記で説明した技法は、PUSCH送信またはPUCCH送信に対する送信電力を決定することに関する。いくつかの例では、PUSCH送信に対して、UE115は、第1の送信内にまたはHARQ再送信の間に、DFT-S-OFDMとOFDMとの間を切り替える場合がある。すなわち、いくつかの例では、波形が変更されるときに使用されるべき異なるステップサイズは、すべての波形の変化に対して適用され得る。代替的に、他の例では、異なるステップサイズは、波形が特定のHARQ送信インデックスにおいて変化するときのみ(たとえば、第1の送信においてのみ)適用され得る。
【００９７】
図7は、本開示の様々な態様による、NRシステムにおける電力制御に対するプロセスフロー700の一例を示す。プロセスフロー700は、図1を参照しながら説明した基地局105の一例であり得る基地局105-aによって実行される技法の態様を示す。プロセスフロー700はまた、図1を参照しながら説明したUE115の一例であり得るUE115-aによって実行される技法の態様を示す。
【００９８】
705において、UE115-aは、基地局105-aに送信するためのデータまたは制御情報を識別し得、UE115-aは、アップリンク送信に対するリソースを要求するスケジューリング要求を基地局105-aに送信し得る。他の場合には、UE115-aは、(たとえば、UE115-aが永続的または半永続的にスケジュールされる場合)スケジューリング要求を送信しない。710において、基地局105-aは、アップリンク送信のためにUE115-aをスケジュールし得る。たとえば、基地局105-aは、アップリンク送信に対するリソースを識別し得、基地局105-aは、アップリンク送信に対するこれらのリソースをUE115-aに割り振り得る。
【００９９】
715において、基地局105-aは、制御情報(たとえば、DCI)をUE115-aに送信し得る。制御情報は、アップリンクグラント、TPCコマンド、MCSインデックス値、効果的な符号レートインデックス値、優先度情報(たとえば、チャネルタイプまたは送信タイプの優先度情報)などを含み得る。アップリンクグラントは、UE115-aによるアップリンク送信に対して、どのアップリンクリソースがスケジュールされるかを示し得る。TPCコマンドは、UE115-aに対する現在のまたはデフォルトの送信電力に対する送信電力の変化を示すオフセットを含み得る。場合によっては、TPCコマンドは、UE115-aによる後続の送信に対する送信電力を指定してもよい。効果的な符号レートインデックス値は、異なる効果的な符号レートに対応するインデックスのリストを含む場合がある。場合によっては、DCIは、専用のフォーマットに従って送信されてもよい。
【０１００】
720において、UE115-aは、DCIおよび他の要因に基づいて、基地局105-aへのアップリンク送信に対する送信電力を決定し得る。たとえば、UE115-aは、TPCコマンドを含む要因の数、効果的な符号レート、PUCCHのフォーマット、PUCCH内の制御情報のアップリンク送信に対して利用可能なリソースブロックの数、制御チャネルとデータチャネルとの多重化、送信タイプ、経路損失推定、優先度情報などに基づいて送信電力を決定し得る。
【０１０１】
場合によっては、UE115-aは、制御情報に対して割り振られるリソースブロックの数、制御情報のペイロードサイズ、および制御情報の送信のために使用されるリソースブロックのリソース要素の数に基づいて、TTIの間の制御チャネルに対する送信電力を決定してもよい。いくつかの例では、UE115-aは、制御情報に対して割り振られるリソースブロックの数、制御情報のペイロードサイズ、および制御情報の送信のために使用されるリソースブロックのリソース要素の数に基づいて、制御情報に対する効果的な符号レートを決定してもよく、送信電力は、効果的な符号レートに基づいて決定される。
【０１０２】
たとえば、UE115-aは、効果的な符号レートを基地局105-aから受信された効果的な符号レートインデックス値とマッチングしてもよく、効果的な符号レートの値に基づいて送信電力を修正してもよい。場合によっては、UE115-aは、効果的な符号レートと制御チャネルのメッセージフォーマットの両方に基づいてTTIの間の制御チャネルに対する送信電力を決定してもよく、基地局105-aは、メッセージフォーマットまたは制御チャネルに対するメッセージフォーマットを選択するための基準をUE115-aに示してもよい。725において、UE115-aは、決定された送信電力を使用してTTIの間の制御情報を基地局105-aに送信し得る。
【０１０３】
場合によっては、UE115-aは、TTIの間のデータチャネルの一部と制御チャネルとの周波数分割多重化に基づいて、TTIの間のアップリンク送信のデータチャネルに対する送信電力を決定してもよい。場合によっては、UE115-aは、TTIの間の制御チャネルに対する送信電力とは無関係に、TTIのデータチャネルに対する送信電力を決定してもよい。他の場合には、UE115-aは、TTIの間の制御チャネルに対する送信電力に基づいて、TTIの間のデータチャネルの一部に対する第2の送信電力を決定してもよい。いくつかの例では、UE115-aは、制御チャネルと周波数分割多重化されない第1のTTIの間のデータチャネルの残りの部分に対する第3の送信電力を決定してもよく、第3の送信電力は、制御チャネルと周波数分割多重化されたデータチャネルの一部に対する第2の送信電力より大きい。
【０１０４】
いくつかの例では、基地局105-aは、データチャネルに対する第2の送信電力とは無関係に、データチャネルに対する送信電力を決定するために、UE115-aに宛てたDCI内で表示を送ってもよい。一方で、他の場合には、基地局105-aは、制御チャネルの送信電力に基づいてデータチャネルに対する送信電力を決定するため、および/または制御チャネルと多重化されないデータチャネルの一部とは異なって、制御チャネルと多重化されるデータチャネルの一部に対する送信電力を決定するために、UE115-aに宛てたDCI内で表示を送ってもよい。725において、UE115-aは、決定された送信電力を使用してTTIの間の制御情報を基地局105-aに送信し得る。
【０１０５】
場合によっては、UE115-aは、TTIの間の第1のチャネル内の送信されるべきデータまたは制御情報を識別してもよく、第1のチャネルは、第1の送信優先度に関連付けられる。UE115-aはまた、第1のチャネルが、TTIの一部の中で、第1の送信優先度より高い第2の送信優先度に関連付けられた第2のチャネルと周波数分割多重化されると決定してもよい。場合によっては、UE115-aは、TTIの間の第1のチャネルに対する第2の送信電力とは無関係に、第2のチャネルに対する第1の送信電力を決定してもよい。725において、UE115-aは、決定された送信電力を使用してTTIの間の制御情報を基地局105-aに送信し得る。
【０１０６】
場合によっては、UE115-aは、第2のチャネルの第1の送信電力および/または最大キャリア電力限界に基づいて、第1のチャネルに対する第2の送信電力を決定してもよい。場合によっては、UE115-aは、第1のチャネルのタイプに基づいて第1の送信優先度を決定してもよく、かつ第2のチャネルのタイプに基づいて第2の送信優先度を決定してもよい。いくつかの例では、第1または第2のチャネルの各々は、制御情報もしくはデータのURLLC、eMBB通信、PUCCH送信、PUSCH送信、またはSRS送信のうちの任意の1つに対して使用される。場合によっては、基地局105-aは、第1および第2のチャネルのどちらがより高い送信優先度を有するかをUE115-aに示してもよい。
【０１０７】
代替的に、基地局105-aは、いくつかの通信タイプ(たとえば、URLLC、eMBB通信、SRS送信)またはチャネルタイプ(たとえば、PUSCH、PUCCH)が、他の通信タイプまたはチャネルタイプに勝る優先度を有することをUE115-aに示してもよい。場合によっては、UE115-aは、第1のチャネルのペイロードに基づいて第1の送信優先度を決定してもよく、第2のチャネルのペイロードに基づいて第2の送信優先度を決定してもよい。720において、UE115-aは、決定された送信電力を使用してTTIの間の制御情報を基地局105-aに送信し得る。
【０１０８】
場合によっては、UE115-aは、第1の優先度グループに関連付けられた第1の送信のために使用されるべき第1の送信電力と、第2の優先度グループに関連付けられた第2の送信のために使用されるべき第2の送信電力とを識別してもよく、第2の送信は、第1の送信と周波数分割多重化される。たとえば、第2の送信は、少なくとも1つのシンボル期間中に第1の送信と周波数分割多重化されてもよい。場合によっては、第2の送信はSRS送信である。場合によっては、基地局105-aは、いくつかの送信タイプ(たとえば、SRS送信)が、他の送信より低い優先度に関連付けられることをUE115-aに示す。場合によっては、第1の送信グループと第2の送信グループの両方が、等しい優先度を有する1つまたは複数の送信タイプに関連付けられてもよい。
【０１０９】
場合によっては、UE115-aは、第1の送信電力と第2の送信電力との合計が、しきい値を超えると決定する場合がある。いくつかの例では、UE115-aは、第1の送信電力と第2の送信電力との合計が、少なくとも1つのシンボル期間中に、しきい値を超えると決定する場合がある。場合によっては、基地局105-aは、UE115-aの送信電力に対するしきい値をUE115-aに示してもよい。そして、725において、UE115-aは、第1および第2の送信電力の合計がしきい値を超えるとの決定、および第1の優先度グループの第1の優先度と第2の優先度グループの第2の優先度との比較に基づいて、第1の送信または第2の送信のいずれかを送信し得る。たとえば、UE115-aは、第1の優先度グループが第2の優先度グループより高い優先度を有すると決定した後、第1の優先度グループを送信し得る。
【０１１０】
UE115-aは、上記の技法のいずれかを単独でまたは組合せで使用して、制御またはデータの送信に対する送信電力を決定し得る。たとえば、UE115-aは、効果的な符号レート情報、制御フォーマットの識別情報、制御チャネルとデータチャネルとの周波数領域多重化の識別情報、TPCコマンド内のオフセット、およびアップリンク送信に対する送信電力の決定における経路損失推定の組合せを使用し得る。場合によっては、基地局105-aは、アップリンク送信電力を決定するとき、どのパラメータおよび/または基準をUE115-aが使用すべきかをUE115-aに示す。他の場合には、基地局105-aは、アップリンク送信のために使用する送信電力をUE115-aに指定する。
【０１１１】
図8は、本開示の様々な態様による、NRシステムにおける電力制御に対するプロセスフロー800の一例を示す。プロセスフロー800は、図1を参照しながら説明した基地局105の一例であり得る基地局105-bによって実行される技法の態様を示す。プロセスフロー800はまた、図1を参照しながら説明したUE115の一例であり得るUE115-bによって実行される技法の態様を示す。
【０１１２】
805において、UE115-bは、基地局105-bに送信するためのデータまたは制御情報を識別し得、UE115-bは、アップリンク送信に対するリソースを要求するスケジューリング要求を基地局105-bに送信し得る。他の場合には、UE115-bは、(たとえば、UE115-bが永続的または半永続的にスケジュールされる場合)スケジューリング要求を送信しない。810において、基地局105-bは、アップリンク送信のためにUE115-bをスケジュールし得る。たとえば、基地局105-bは、アップリンク送信に対するリソースを識別し得、基地局105-bは、アップリンク送信に対するこれらのリソースをUE115-bに割り振り得る。
【０１１３】
815において、基地局105-bは、制御情報(たとえば、DCI)をUE115-bに送信し得る。制御情報は、アップリンクグラント、TPCコマンド、MCSインデックス値、効果的な符号レートインデックス値、優先度情報(たとえば、チャネルタイプまたは送信タイプの優先度情報)などを含み得る。アップリンクグラントは、どのアップリンクリソースが、UE115-bによってアップリンク送信に対してスケジュールされるかを示し得る。TPCコマンドは、UE115-bに対する現在のまたはデフォルトの送信電力に対して、送信電力における変化を示すオフセットを含み得る。場合によっては、TPCコマンドは、UE115-bによる後続の送信に対する送信電力を指定してもよい。効果的な符号レートインデックス値は、異なる効果的な符号レートに対応するインデックスのリストを含む場合がある。場合によっては、DCIは、専用のフォーマットに従って送信されてもよい。
【０１１４】
820において、UE115-bは、DCIおよび他の要因に基づいて、基地局105-bへのアップリンク送信に対する送信電力を決定し得る。たとえば、UE115-bは、本明細書で説明するようにおよび図7に関して前に説明したように、TPCコマンド、効果的な符号レート、PUCCHのフォーマット、PUCCH内のRBの数、制御チャネルとデータチャネルとの多重化、送信タイプ、経路損失推定、優先度情報などを含む要因の数に基づいて送信電力を決定し得る。場合によっては、UE115-bは、アップリンク送信に対する第1のビーム方向に関連付けられた第1の経路損失に基づいて、第1の送信電力を決定してもよい。
【０１１５】
825において、UE115-bは、第1のTTIの間の決定された送信電力を使用して、アップリンク制御情報を基地局105-bに送信し得る。場合によっては、UE115-bは、制御情報を第1のビーム方向内で送信してもよい。場合によっては、アップリンク制御情報を基地局105-bに送信した後、830において、UE115-bは、第2のTTIの間の反復されるべき第1の送信の制御情報を識別してもよく、UE115-bは、第1の方向とは異なる第2のビーム方向内で、制御情報の送信を反復してもよい。
【０１１６】
835において、基地局105-bは、第2のDCIをUE115-bに随意に送信し得る。場合によっては、第2のDCIは、制御情報の反復送信をスケジュールする。前に送信されたDCIと同様に、第2のDCIは、アップリンクグラント、TPCコマンド、MCSインデックス値、効果的な符号レートインデックス値、優先度情報(たとえば、チャネルタイプまたは送信タイプの優先度情報)などを含んでもよい。同じく、前に送信されたDCIと同様に、第2のDCIは、反復送信に対する送信電力を決定するために使用される電力制御情報を示すために使用され得る。たとえば、第2のDCIは、制御情報の反復送信のためのTPCコマンドを含み得る。
【０１１７】
場合によっては、第2のDCIは、TPCコマンドが適用される反復送信を示すTPCコマンドを含む場合がある。場合によっては、第2のDCIは、第2のDCIが受信される時間間隔から一定の遅延の後に発生する制御情報の反復送信に適用可能である。場合によっては、第2のDCIは、第1の送信電力に関連し、前のDCI内で送信されたTPCコマンド内のステップサイズとは異なるステップサイズを示す反復制御情報送信のための第2の送信電力に関連するTPCコマンドを含む。場合によっては、TPCコマンドは、ステップサイズと制御情報の反復送信に対する反復インデックスとの間の関係を示す表を含む。
【０１１８】
それに応じて、840において、UE115-bは、第2のTTIの間のアップリンク制御情報の反復送信に対する第2の送信電力を決定することができ、845において、UE115-bは、第2の送信電力を使用して制御情報を基地局105-bに送信し得る。場合によっては、再送信に対する送信電力は、決定された第1の送信電力と同じである。他の場合には、再送信に対する送信電力は、決定された第1の送信電力とは異なる。加えて、いくつかの例では、第1の送信電力を構成するために使用される第1のDCI内に含まれるステップサイズ(たとえば、+1、-1dB)は、第2の送信電力を構成するために使用される第2のDCI内に含まれるステップサイズ(たとえば、+0.5、-0.5dB)とは異なる場合がある。さらに、UE115-bは、第2のビーム方向に関連付けられた第2の経路損失を識別してもよく、UE115-bは、第2の経路損失に基づいて第2の送信電力を決定してもよい。
【０１１９】
場合によっては、UE115-bは、第2のDCIに基づいて再送信に対する第2の送信電力を決定してもよい。たとえば、UE115-bは、制御情報を再送信するための第2の送信電力を示す第2のDCI内のTPCコマンドに基づいて第2の送信電力を決定してもよい。そして、いくつかの例では、UE115-bは、ステップサイズと第2の送信の反復インデックスとの間の関係を示す表に基づいて、第2の送信に対する送信電力および後続の反復送信を決定してもよい。
【０１２０】
図9は、本開示の様々な態様による、NRシステムにおける電力制御に対するプロセスフロー900の一例を示す。プロセスフロー900は、図1を参照しながら説明した基地局105の一例であり得る基地局105-cによって実行される技法の態様を示す。プロセスフロー900はまた、図1を参照しながら説明したUE115の一例であり得るUE115-cによって実行される技法の態様を示す。
【０１２１】
905において、UE115-cは、基地局105-cに送信するためのデータまたは制御情報を識別し得、UE115-cは、アップリンク送信に対するリソースを要求するスケジューリング要求を基地局105-cに送信し得る。他の場合には、UE115-cは、(たとえば、UE115-cが永続的または半永続的にスケジュールされる場合)スケジューリング要求を送信しない。910において、基地局105-cは、アップリンク送信のためにUE115-cをスケジュールし得る。たとえば、基地局105-cは、アップリンク送信に対するリソースを識別し得、基地局105-cは、アップリンク送信に対するこれらのリソースをUE115-cに割り振り得る。
【０１２２】
915において、基地局105-bは、制御情報(たとえば、DCI)をUE115-cに送信し得る。制御情報は、アップリンクグラント、TPCコマンド、MCSインデックス値、効果的な符号レートインデックス値、優先度情報(たとえば、チャネルタイプまたは送信タイプの優先度情報)などを含み得る。場合によっては、DCIは、アップリンク送信に対する波形(たとえば、OFDM波形またはDFT-S-OFDM波形)を示す。920において、UE115-cは、第1の波形に関連付けられた1つまたは複数の開ループパラメータの第1のセットに基づいて、第1の波形を使用して第1のTTI内の基地局105-bへのアップリンク送信に対する送信電力を決定し得、1つまたは複数の開ループパラメータの第1のセットは、第2の波形に関連付けられた1つまたは複数の開ループパラメータの第2のセットとは異なる。925において、UE115-cは、次いで、第1の波形を使用してアップリンク送信を基地局105-cに送信し得る。
【０１２３】
930において、UE115-cは、次いで、第2のTTI内の第2の波形を使用してデータまたは制御情報の送信をスケジュールする別のDCIを受信し得る。それに応じて、935において、UE115-cは、開ループパラメータの第2のセットに基づいて第2の波形を使用して送信されるべきデータまたは制御情報に対する送信電力を決定し得、940において、UE115-cは、決定された送信電力を使用して第2の波形を使用してデータ制御情報を送信し得る。いくつかの例では、他のDCI(すなわち、930において受信された)内に含まれるTPCコマンドは、第1のTTI内の第1の波形と第2のTTI内の第2の波形との間の遷移に関連付けられた1つまたは複数の閉ループパラメータの第1のセットを含んでもよく、1つまたは複数の閉ループパラメータの第1のセットは、第1および第2の波形のうちの同じ波形に関連付けられた連続送信に関連付けられた1つまたは複数の閉ループパラメータの第2のセットとは異なってもよい。
【０１２４】
いくつかの例では、1つまたは複数の開ループパラメータの第1および第2のセットは、最大キャリア当たり電力限界、フラクショナル経路損失定数、信号対干渉プラス雑音比(SINR)目標P0、異なる波形に対するMCSベースのオフセット、および閉ループステップサイズのうちの少なくとも1つを含む場合がある。場合によっては、第1の波形および第2の波形の各々は、OFDM波形、DFT-S-OFDM波形、または他の波形を含む場合がある。
【０１２５】
図10は、本開示の様々な態様による、NRシステムにおける電力制御をサポートするワイヤレスデバイス1005のブロック図1000を示す。ワイヤレスデバイス1005は、本明細書で説明するUE115の態様の一例であってもよい。ワイヤレスデバイス1005は、受信機1010と、通信マネージャ1015と、送信機1020とを含み得る。ワイヤレスデバイス1005はまたプロセッサを含んでもよい。これらの構成要素の各々は、(たとえば、1つまたは複数のバスを介して)互いに通信していてもよい。
【０１２６】
受信機1010は、パケット、ユーザデータ、または様々な情報チャネル(たとえば、制御チャネル、データチャネル、およびNRシステムにおける電力制御に関する情報など)と関連付けられた制御情報などの情報を受信し得る。情報は、デバイスの他の構成要素に渡されてもよい。受信機1010は、図13を参照しながら説明されるトランシーバ1335の態様の一例であり得る。受信機1010は、単一のアンテナまたはアンテナのセットを使用し得る。
【０１２７】
通信マネージャ1015は、図13を参照しながら説明する通信マネージャ1315の態様の一例であり得る。通信マネージャ1015および/またはその様々な下位構成要素のうちの少なくともいくつかは、ハードウェア、プロセッサによって実行されるソフトウェア、ファームウェア、またはそれらの任意の組合せにおいて実装され得る。プロセッサによって実行されるソフトウェアにおいて実装される場合、通信マネージャ1015および/またはその様々な下位構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明する機能を実行するように設計されたそれらの任意の組合せによって実行され得る。
【０１２８】
通信マネージャ1015および/またはその様々な下位構成要素のうちの少なくともいくつかは、機能の部分が1つまたは複数の物理デバイスによって異なる物理的ロケーションにおいて実装されるように分散されることを含めて、様々な位置に物理的に位置し得る。いくつかの例では、通信マネージャ1015および/またはその様々な下位構成要素のうちの少なくともいくつかは、本開示の様々な態様による別個の異なる構成要素であり得る。他の例では、通信マネージャ1015および/またはその様々な下位構成要素のうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わされ得る。
【０１２９】
通信マネージャ1015は、TTIの制御チャネル内の送信されるべき制御情報に対して割り振られるリソースブロックの数、制御情報のペイロードサイズ、および制御情報の送信のために使用されるリソースブロックのリソース要素の数を決定してもよく、制御情報に対して割り振られるリソースブロックの数、制御情報のペイロードサイズ、および制御情報の送信のために使用されるリソースブロックのリソース要素の数に基づいてTTIの間の制御チャネルに対する送信電力を決定してもよい。
【０１３０】
通信マネージャ1015はまた、第2のTTIの間の反復されるべき第1の送信の制御情報を識別してもよく、第2のTTIの間の制御情報の反復送信に対する第2の送信電力を決定してもよく、第1の送信電力は、第2の送信電力とは異なる。通信マネージャ1015はまた、TTIの間のデータチャネル内の送信されるべきデータを識別してもよく、TTIの間のデータチャネルの一部と制御チャネルとの周波数分割多重化に基づいてTTIの間のデータチャネルに対する第1の送信電力を決定してもよい。
【０１３１】
通信マネージャ1015はまた、第1のチャネルが、TTIの一部の中で第1の送信優先度より高い第2の送信優先度に関連付けられた第2のチャネルと周波数分割多重化されると決定してもよく、TTIの間の第1のチャネルに対する第2の送信電力とは無関係にTTIの間の第2のチャネルに対する第1の送信電力を決定してもよい。通信マネージャ1015はまた、第1の優先度グループに関連付けられた第1の送信のために使用されるべき第1の送信電力を識別することと、第2の優先度グループに関連付けられた第2の送信のために使用されるべき第2の送信電力とを識別することであって、第2の送信は第1の送信と周波数分割多重化される、識別することと、第1の送信電力と第2の送信電力との合計がしきい値を超えると決定することとを行い得る。通信マネージャ1015はまた、第1の波形に関連付けられた1つまたは複数の開ループパラメータの第1のセットに基づいて、データまたは制御情報に対する第1の送信電力を決定してもよく、1つまたは複数の開ループパラメータの第1のセットは、第2の波形に関連付けられた1つまたは複数の開ループパラメータの第2のセットとは異なる。
【０１３２】
送信機1020は、デバイスの他の構成要素によって生成された信号を送信してもよい。いくつかの例では送信機1020は、トランシーバモジュールの中でレシーバ1010と一緒に置かれてもよい。たとえば、送信機1020は、図13を参照しながら説明されるトランシーバ1335の態様の一例であり得る。送信機1020は、単一のアンテナまたはアンテナのセットを使用し得る。
【０１３３】
送信機1020は、決定された送信電力を使用してTTIの間の制御情報を送信し得る。場合によっては、送信機1020は、決定された送信電力を使用して第1のTTI内のデータまたは制御情報を送信してもよい。場合によっては、送信機1020は、決定された第2の送信電力を使用して第2のTTIの間の制御チャネル内の制御情報の送信を反復してもよい。場合によっては、送信機1020は、決定された第1の送信電力を使用して第1のTTIの間のデータチャネル内のデータを送信してもよい。場合によっては、送信機1020は、TTIの間の第1のチャネル内の送信されるべきデータまたは制御情報を識別してもよく、第1のチャネルは、第1の送信優先度に関連付けられる。場合によっては、送信機1020は、第1の送信電力を使用して第1のTTIの間の制御チャネル内の制御情報の第1の送信を実行してもよい。
【０１３４】
場合によっては、送電器1020は、その決定と、第1の優先度グループの第1の優先度と第2の優先度グループの第2の優先度との比較とに基づいて第1の送信または第2の送信のいずれかを送信してもよい。場合によっては、送信機1020は、その決定に基づいて、第1の送信を送信しかつ第2の送信を送信することを控えてもよい。場合によっては、送信機1020は、第1の波形を使用して第1のTTI内の送信するためのデータまたは制御情報を識別してもよい。場合によっては、送信機1020は、決定された第1の送信電力を使用してTTIの間の第2のチャネルを送信してもよい。
【０１３５】
場合によっては、制御情報の第1の送信は第1のビーム方向内にあり、制御情報の送信を反復することは、第1のビーム方向とは異なる第2のビーム方向内で制御情報の送信を反復することを含む。場合によっては、第1のチャネルまたは第2のチャネルは、制御またはデータのURLLCのために使用されるチャネル、eMBB通信のために使用されるチャネル、PUCCH、PUSCH、またはSRS送信のために使用されるチャネルのうちの1つを含む。場合によっては、第2の送信はSRS送信を含む。
【０１３６】
図11は、本開示の様々な態様による、NRシステムにおける電力制御をサポートするワイヤレスデバイス1105のブロック図1100を示す。ワイヤレスデバイス1105は、図10を参照しながら説明したようなワイヤレスデバイス1005またはUE115の態様の一例であり得る。ワイヤレスデバイス1105は、受信機1110、通信マネージャ1115、および送信機1120を含み得る。ワイヤレスデバイス1105はまた、プロセッサを含み得る。これらの構成要素の各々は、(たとえば、1つまたは複数のバスを介して)互いに通信していてもよい。
【０１３７】
受信機1110は、パケット、ユーザデータ、または様々な情報チャネル(たとえば、制御チャネル、データチャネル、およびNRシステムにおける電力制御に関する情報など)と関連付けられた制御情報などの情報を受信し得る。情報は、デバイスの他の構成要素に渡されてもよい。受信機1110は、図13を参照しながら説明されるトランシーバ1335の態様の一例であり得る。受信機1110は、単一のアンテナまたはアンテナのセットを使用し得る。
【０１３８】
通信マネージャ1115は、図13を参照しながら説明する通信マネージャ1315の態様の一例であり得る。通信マネージャ1115は、符号レートマネージャ1125、送信電力マネージャ1130、送信反復マネージャ1135、データチャネルマネージャ1140、送信優先度マネージャ1145、および送信電力しきい値マネージャ1150を含み得る。
【０１３９】
符号レートマネージャ1125は、TTIの制御チャネル内の送信されるべき制御情報に対して割り振られるリソースブロックの数、制御情報のペイロードサイズ、および制御情報の送信のために使用されるリソースブロックのリソース要素の数を決定し得る。送信電力マネージャ1130は、制御情報に対して割り振られるリソースブロックの数、制御情報のペイロードサイズ、および制御情報の送信のために使用されるリソースブロックのリソース要素の数に基づいて、TTIの間の制御チャネルに対する送信電力を決定し得る。場合によっては、送信電力マネージャ1130は、第2のTTIの間の制御情報の送信を反復するための第2の送信電力を決定してもよく、第1の送信電力は第2の送信電力とは異なる。場合によっては、送信電力マネージャ1130は、TTIの間のデータチャネルの一部と制御チャネルとの周波数分割多重化に基づいて、TTIの間のデータチャネルに対する第1の送信電力を決定してもよい。場合によっては、送信電力マネージャ1130は、TTIの間の制御チャネルに対する第2の送信電力とは無関係に、TTIのデータチャネルに対する第1の送信電力を決定してもよい。
【０１４０】
場合によっては、送信電力マネージャ1130は、TTIの間の制御チャネルに対する第3の送信電力に基づいて、TTIの間のデータチャネルの一部に対する第2の送信電力を決定してもよい。場合によっては、送信電力マネージャ1130は、制御チャネルと周波数分割多重化されない第1のTTIの間のデータチャネルの残りの部分に対する第4の送信電力を決定してもよく、第4の送信電力は、制御チャネルと周波数分割多重化されたデータチャネルの一部に対する第2の送信電力より大きい。場合によっては、送信電力マネージャ1130は、TTIの間の第1のチャネルに対する第2の送信電力とは無関係に、TTIの間の第2のチャネルに対する第1の送信電力を決定してもよい。場合によっては、送信電力マネージャ1130は、TTIの間の制御チャネルに対する送信電力は制御チャネルのメッセージフォーマットにさらに基づくと決定してもよい。
【０１４１】
場合によっては、送信電力マネージャ1130は、第1のチャネルのタイプに基づいて第1の送信優先度を決定してもよく、第2のチャネルのタイプに基づいて第2の送信優先度を決定してもよい。場合によっては、送信電力マネージャ1130は、第1のチャネルのペイロードに基づいて第1の送信優先度を決定してもよく、第2のチャネルのペイロードに基づいて第2の送信優先度を決定してもよい。場合によっては、送信電力マネージャ1130は、第1の優先度グループに関連付けられた第1の送信のために使用されるべき第1の送信電力を識別してもよい。場合によっては、送信電力マネージャ1130は、第2の優先度グループに関連付けられた第2の送信のために使用されるべき第2の送信電力を識別してもよく、第2の送信は、第1の送信と周波数分割多重化される。場合によっては、送信電力マネージャ1130は、第1の波形に関連付けられた1つまたは複数の開ループパラメータの第1のセットに基づいて、データまたは制御情報に対する第1の送信電力を決定してもよく、1つまたは複数の開ループパラメータの第1のセットは、第2の波形に関連付けられた1つまたは複数の開ループパラメータの第2のセットとは異なる。
【０１４２】
場合によっては、送信電力マネージャ1130は、ダウンリンク制御情報(DCI)内に含まれるTPCコマンドに基づいて、第2のTTI内のデータまたは制御情報の送信に対する第2の送信電力を決定してもよい。場合によっては、送信電力マネージャ1130は、第1の送信電力および最大キャリア電力限界に基づいて、第1のチャネルに対する第2の送信電力を決定してもよい。場合によっては、第1の波形および第2の波形の各々は、直交周波数分割多重(OFDM)波形または離散フーリエ変換(DFT)スプレッドOFDM波形を含む。場合によっては、1つまたは複数の開ループパラメータの第1および第2のセットの各々は、最大キャリア電力限界、フラクショナル経路損失定数、信号対干渉プラス雑音比(SINR)目標P0、異なる波形に対する変調およびコーディング方式(MCS)ベースのオフセット、および閉ループステップサイズのうちの少なくとも1つを含む。
【０１４３】
送信反復マネージャ1135は、第2のTTIの間の反復されるべき第1の送信の制御情報を識別し得る。データチャネルマネージャ1140は、TTIの間のデータチャネル内の送信されるべきデータを識別し得る。送信優先度マネージャ1145は、第1のチャネルが、TTIの一部の中で第1の送信優先度より高い第2の送信優先度に関連付けられた第2のチャネルと周波数分割多重化されると決定し得、第1の優先度グループが、第2の優先度グループより高い優先度に関連付けられると決定し得る。場合によっては、第1の送信グループおよび第2の送信グループの各々が、等しい優先度を有する1つまたは複数の送信タイプに関連付けられてもよい。
【０１４４】
送信電力しきい値マネージャ1150は、第1の送信電力と第2の送信電力との合計が、しきい値を超えると決定し得る。場合によっては、第2の送信は、少なくとも1つのシンボル期間中の第1の送信と周波数分割多重化され、第1の送信電力と第2の送信電力の合計がしきい値を超えると決定することは、少なくとも1つのシンボル期間中の第1の送信電力と第2の送信電力との合計がしきい値を超えると決定することを含む。
【０１４５】
送信機1120は、デバイスの他の構成要素によって生成された信号を送信してもよい。いくつかの例では送信機1120は、トランシーバモジュールの中でレシーバ1110と一緒に置かれてもよい。たとえば、送信機1120は、図13を参照しながら説明されるトランシーバ1335の態様の一例であり得る。送信機1120は、単一のアンテナまたはアンテナのセットを使用し得る。
【０１４６】
図12は、本開示の様々な態様による、NRシステムにおける電力制御をサポートする通信マネージャ1215のブロック図1200を示す。通信マネージャ1215は、図10、図11、および図13を参照しながら説明する通信マネージャ1015、通信マネージャ1115、または通信マネージャ1315の態様の一例であり得る。通信マネージャ1215は、符号レートマネージャ1220、送信電力マネージャ1225、送信反復マネージャ1230、データチャネルマネージャ1235、送信優先度マネージャ1240、送信電力しきい値マネージャ1245、経路損失マネージャ1250、およびDCIマネージャ1255を含み得る。これらのモジュールの各々は、(たとえば、1つまたは複数のバスを介して)互いと直接または間接的に通信してもよい。
【０１４７】
符号レートマネージャ1220は、TTIの制御チャネル内の送信されるべき制御情報に対して割り振られるリソースブロックの数、制御情報のペイロードサイズ、および制御情報の送信のために使用されるリソースブロックのリソース要素の数を決定し得る。場合によっては、符号レートマネージャ1220は、制御情報に対して割り振られるリソースブロックの数、制御情報のペイロードサイズ、および制御情報の送信のために使用されるリソースブロックのリソース要素の数に少なくとも部分的に基づいて、制御情報に対する効果的な符号レートを決定してもよく、送信電力は、効果的な符号レートに少なくとも部分的に基づいて決定される。
【０１４８】
送信電力マネージャ1225は、制御情報に対して割り振られるリソースブロックの数、制御情報のペイロードサイズ、および制御情報の送信のために使用されるリソースブロックのリソース要素の数に基づいて、TTIの間の制御チャネルに対する送信電力を決定し得る。場合によっては、送信電力マネージャ1225は、第2のTTIの間の制御情報の送信を反復するための第2の送信電力を決定してもよく、第1の送信電力は第2の送信電力とは異なる。場合によっては、送信電力マネージャ1225は、TTIの間のデータチャネルの一部と制御チャネルとの周波数分割多重化に基づいて、TTIの間のデータチャネルに対する第1の送信電力を決定してもよい。場合によっては、送信電力マネージャ1225は、TTIの間の制御チャネルに対する第2の送信電力とは無関係に、TTIのデータチャネルに対する第1の送信電力を決定してもよい。
【０１４９】
場合によっては、送信電力マネージャ1225は、TTIの間の制御チャネルに対する第3の送信電力に基づいて、TTIの間のデータチャネルの一部に対する第2の送信電力を決定してもよい。場合によっては、送信電力マネージャ1225は、制御チャネルと周波数分割多重化されない第1のTTIの間のデータチャネルの残りの部分に対する第4の送信電力を決定してもよく、第4の送信電力は、制御チャネルと周波数分割多重化されたデータチャネルの一部に対する第2の送信電力より大きい。場合によっては、送信電力マネージャ1225は、TTIの間の第1のチャネルに対する第2の送信電力とは無関係に、TTIの間の第2のチャネルに対する第1の送信電力を決定してもよい。場合によっては、送信電力マネージャ1225は、TTIの間の制御チャネルに対する送信電力は制御チャネルのメッセージフォーマットにさらに基づくと決定してもよい。
【０１５０】
場合によっては、送信電力マネージャ1225は、第1のチャネルのタイプに基づいて第1の送信優先度を決定してもよく、第2のチャネルのタイプに基づいて第2の送信優先度を決定してもよい。場合によっては、送信電力マネージャ1225は、第1のチャネルのペイロードに基づいて第1の送信優先度を決定してもよく、第2のチャネルのペイロードに基づいて第2の送信優先度を決定してもよい。場合によっては、送信電力マネージャ1225は、第1の優先度グループに関連付けられた第1の送信のために使用されるべき第1の送信電力を識別してもよい。場合によっては、送信電力マネージャ1225は、第2の優先度グループに関連付けられた第2の送信のために使用されるべき第2の送信電力を識別してもよく、第2の送信は、第1の送信と周波数分割多重化される。
【０１５１】
場合によっては、送信電力マネージャ1225は、第1の波形に関連付けられた1つまたは複数の開ループパラメータの第1のセットに基づいてデータまたは制御情報に対する第1の送信電力を決定することであって、1つまたは複数の開ループパラメータの第1のセットは、第2の波形に関連付けられた1つまたは複数の開ループパラメータの第2のセットとは異なる、決定することと、DCI内に含まれるTPCコマンドに基づいて第2のTTI内のデータまたは制御情報の送信に対する第2の送信電力を決定することと、第1の送信電力および最大キャリア電力限界に基づいて第1のチャネルに対する第2の送信電力を決定することとを行ってもよい。場合によっては、第1の波形および第2の波形の各々は、OFDM波形、DFT-S-OFDM波形またはDFT-S-OFDM波形を含む。いくつかの例では、1つまたは複数の開ループパラメータの第1および第2のセットの各々は、最大キャリア電力限界、フラクショナル経路損失定数、SINR目標P0、異なる波形に対するMCSベースのオフセット、および閉ループステップサイズのうちの少なくとも1つを含む。
【０１５２】
送信反復マネージャ1230は、第2のTTIの間の反復されるべき第1の送信の制御情報を識別し得る。データチャネルマネージャ1235は、TTIの間のデータチャネル内の送信されるべきデータを識別し得る。送信優先度マネージャ1240は、第1のチャネルが、TTIの一部の中で第1の送信優先度より高い第2の送信優先度に関連付けられた第2のチャネルと周波数分割多重化されると決定し得、第1の優先度グループが、第2の優先度グループより高い優先度に関連付けられると決定し得る。場合によっては、第1の送信グループおよび第2の送信グループの各々が、等しい優先度を有する1つまたは複数の送信タイプに関連付けられてもよい。
【０１５３】
送信電力しきい値マネージャ1245は、第1の送信電力と第2の送信電力との合計が、しきい値を超えると決定し得る。場合によっては、第2の送信は、少なくとも1つのシンボル期間中の第1の送信と周波数分割多重化され、第1の送信電力と第2の送信電力との合計がしきい値を超えると決定することは、少なくとも1つのシンボル期間中の第1の送信電力と第2の送信電力との合計がしきい値を超えると決定することを含む。
【０１５４】
経路損失マネージャ1250は、制御情報の第1の送信に関連付けられた第1の経路損失を識別し得、第1の送信電力は第1の経路損失に基づいて決定されて、制御情報の反復送信に関連付けられた第2の経路損失を識別し、第2の送信電力は、第2の経路損失に基づいて決定される。
【０１５５】
DCIマネージャ1255は、制御情報の送信を反復するための第2の送信電力に関連するTPCコマンドを含むDCIを受信し得、第2の送信電力は、TPCコマンドに基づいて決定される。場合によっては、DCIマネージャ1255は、ステップサイズと、制御情報の反復送信に対する反復インデックスとの間の関係を示すTPCコマンド内の表を識別してもよく、第2の送信電力は、表と反復送信の反復インデックスとに基づいて決定される。場合によっては、DCIマネージャ1255は、第2のTTI内の第2の波形を使用してデータまたは制御情報の送信をスケジュールするDCIを受信してもよい。場合によっては、DCIは、さらに、TPCコマンドが制御情報の反復送信に適用可能であるかどうかを示す。
【０１５６】
場合によっては、DCIは、さらに、TPCコマンドが適用される反復送信を示す。場合によっては、DCIは、DCIが受信される時間間隔から一定の遅延の後にスケジュールされた制御情報の反復送信に適用可能である。場合によっては、制御情報の送信を反復するための第2の送信電力に関連するTPCコマンド内の1つまたは複数のステップサイズの第1のセットは、第1の送信電力に関連する別のTPCコマンド内の1つまたは複数のステップサイズの第2のセットとは異なる。場合によっては、TPCコマンドは、第1のTTI内の第1の波形と第2のTTI内の第2の波形との間の遷移に関連付けられた1つまたは複数の閉ループパラメータの第1のセットを含み、1つまたは複数の閉ループパラメータの第1のセットは、第1および第2の波形のうちの同じ波形に関連付けられた連続送信に関連付けられた1つまたは複数の閉ループパラメータの第2のセットとは異なる。
【０１５７】
図13は、本開示の様々な態様による、NRシステムにおける電力制御をサポートするデバイス1305を含むシステム1300の図を示す。デバイス1305は、たとえば、図10および図11を参照しながら上記で説明したような、ワイヤレスデバイス1005、ワイヤレスデバイス1105、またはUE115の構成要素の一例であるか、またはそれらを含み得る。デバイス1305は、通信マネージャ1315、プロセッサ1320、メモリ1325、ソフトウェア1330、トランシーバ1335、アンテナ1340、およびI/Oコントローラ1345を含む、通信を送信および受信するための構成要素を含む、双方向音声およびデータ通信のための構成要素を含み得る。これらの構成要素は、1つまたは複数のバス(たとえば、バス1310)を介して電子通信し得る。デバイス1305は、1つまたは複数の基地局105とワイヤレス通信することができる。
【０１５８】
プロセッサ1320は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。場合によっては、プロセッサ1320は、メモリコントローラを使ってメモリアレイを操作するように構成され得る。他の場合、メモリコントローラは、プロセッサ1320に統合されてもよい。プロセッサ1320は、様々な機能(たとえば、NRシステムにおける電力制御をサポートする機能またはタスク)を実行するために、メモリに記憶されたコンピュータ可読命令を実行するように構成され得る。
【０１５９】
メモリ1325は、ランダムアクセスメモリ(RAM)および読取り専用メモリ(ROM)を含んでもよい。メモリ1325は、実行されると、プロセッサに本明細書で説明する様々な機能を実行させる命令を含むコンピュータ可読コンピュータ実行可能ソフトウェア1330を記憶し得る。いくつかの場合には、メモリ1325は、特に、周辺構成要素またはデバイスとの相互作用などの、基本的なハードウェアまたはソフトウェア動作を制御し得る基本入出力システム(BIOS)を含み得る。
【０１６０】
ソフトウェア1330は、NRシステムにおける電力制御をサポートするためのコードを含めて、本開示の態様を実装するためのコードを含み得る。ソフトウェア1330は、システムメモリまたは他のメモリなどの非一時的コンピュータ可読媒体中に記憶されてもよい。場合によっては、ソフトウェア1330は、プロセッサによって直接実行可能でないことがあるが、(たとえば、コンパイルされ、実行されたときに)本明細書で説明する機能をコンピュータに実行させる場合がある。
【０１６１】
トランシーバ1335は、上記で説明したように、1つまたは複数のアンテナ、ワイヤードリンク、またはワイヤレスリンクを介して双方向に通信し得る。たとえば、トランシーバ1335は、ワイヤレストランシーバを表してよく、別のワイヤレストランシーバと双方向に通信することができる。トランシーバ1335はまた、パケットを変調し、変調されたパケットを送信するためにアンテナに供給し、かつアンテナから受信されたパケットを復調するためのモデムを含んでもよい。
【０１６２】
場合によっては、ワイヤレスデバイスは、単一のアンテナ1340を含み得る。しかしながら、場合によっては、デバイスは、複数のワイヤレス送信を同時に送信または受信することが可能であり得る複数のアンテナ1340を有し得る。
【０１６３】
I/Oコントローラ1345は、デバイス1305用の入力信号および出力信号を管理してもよい。I/Oコントローラ1345はまた、デバイス1305内に統合されない周辺機器を管理し得る。場合によっては、I/Oコントローラ1345は、外部周辺機器への物理的接続またはポートを表すことがある。場合によっては、I/Oコントローラ1345は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用し得る。他の場合には、I/Oコントローラ1345は、モデム、キーボード、マウス、タッチスクリーン、または同様のデバイスを表し、またはそれと対話してもよい。場合によっては、I/Oコントローラ1345は、プロセッサの一部として実装されてもよい。場合によっては、ユーザは、I/Oコントローラ1345を介してデバイス1305と対話してもよく、またはI/Oコントローラ1345によって制御されたハードウェア構成要素を介してデバイス1305と対話してもよい。
【０１６４】
図14は、本開示の様々な態様による、NRシステムにおける電力制御のための方法1400を示すフローチャートを示す。方法1400の動作は、本明細書に記載するように、UE115またはその構成要素によって実装され得る。たとえば、方法1400の動作は、図10〜図13を参照して説明したような通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０１６５】
ブロック1405において、UE115は、TTIの制御チャネル内の送信されるべき制御情報に対して割り振られるリソースブロックの数、制御情報のペイロードサイズ、および制御情報の送信のために使用されるリソースブロックのリソース要素の数を決定し得る。ブロック1405の動作は、本明細書で説明する方法に従って実行され得る。いくつかの例では、ブロック1405の動作の態様は、図10〜図13を参照して説明したように、符号レートマネージャによって実行されてもよい。
【０１６６】
ブロック1410において、UE115は、制御情報に対して割り振られるリソースブロックの数、制御情報のペイロードサイズ、および制御情報の送信のために使用されるリソースブロックのリソース要素の数に少なくとも部分的に基づいて、TTIの間の制御チャネルに対する送信電力を決定し得る。ブロック1410の動作は、本明細書で説明する方法に従って実行され得る。いくつかの例では、ブロック1410の動作の態様は、図10〜図13を参照して記載したように、送信電力マネージャによって実施され得る。
【０１６７】
ブロック1415において、UE115は、決定された送信電力を使用してTTIの間の制御情報を送信し得る。ブロック1415の動作は、本明細書で説明する方法に従って実行され得る。いくつかの例では、ブロック1415の動作の態様は、図10〜図13を参照して説明したように、送信機によって実施されてよい。
【０１６８】
図15は、本開示の様々な態様による、NRシステムにおける電力制御のための方法1500を示すフローチャートを示す。方法1500の動作は、本明細書に記載するように、UE115またはその構成要素によって実装され得る。たとえば、方法1500の動作は、図10〜図13を参照して説明したような通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０１６９】
ブロック1505において、UE115は、第1の送信電力を使用して第1のTTIの間の制御チャネル内の制御情報の第1の送信を実行してもよい。ブロック1505の動作は、本明細書で説明する方法に従って実行され得る。いくつかの例では、ブロック1505の動作の態様は、図10〜図13を参照して説明したように、送信機によって実施されてよい。
【０１７０】
ブロック1510において、UE115は、第2のTTIの間の反復されるべき第1の送信の制御情報を識別し得る。ブロック1510の動作は、本明細書で説明する方法に従って実行され得る。いくつかの例では、ブロック1510の動作の態様は、図10〜図13を参照して記載したように、送信反復マネージャによって実施され得る。
【０１７１】
ブロック1515において、UE115は、第2のTTIの間の制御情報の送信を反復するための第2の送信電力を決定し得、第1の送信電力は第2の送信電力とは異なる。ブロック1515の動作は、本明細書で説明する方法に従って実行され得る。いくつかの例では、ブロック1515の動作の態様は、図10〜図13を参照して記載したように、送信電力マネージャによって実施され得る。
【０１７２】
ブロック1520において、UE115は、決定された第2の送信電力を使用して第2のTTIの間の制御チャネル内の制御情報の送信を反復し得る。ブロック1520の動作は、本明細書で説明する方法に従って実行され得る。いくつかの例では、ブロック1520の動作の態様は、図10〜図13を参照して説明したように、送信機によって実施されてよい。
【０１７３】
図16は、本開示の様々な態様による、NRシステムにおける電力制御のための方法1600を示すフローチャートを示す。方法1600の動作は、本明細書に記載するように、UE115またはその構成要素によって実装され得る。たとえば、方法1600の動作は、図10〜図13を参照して説明したような通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０１７４】
ブロック1605において、UE115は、TTIの間のデータチャネル内の送信されるべきデータを識別し得る。ブロック1605の動作は、本明細書で説明する方法に従って実行され得る。いくつかの例では、ブロック1605の動作の態様は、図10〜図13を参照して説明したように、データチャネルマネージャによって実行され得る。
【０１７５】
ブロック1610において、UE115は、TTIの間のデータチャネルの一部と制御チャネルとの周波数分割多重化に少なくとも部分的に基づいて、TTIの間のデータチャネルに対する第1の送信電力を決定し得る。ブロック1610の動作は、本明細書で説明する方法に従って実行され得る。いくつかの例では、ブロック1610の動作の態様は、図10〜図13を参照して記載したように、送信電力マネージャによって実施され得る。
【０１７６】
ブロック1615において、UE115は、決定された第1の送信電力を使用して第1のTTIの間のデータチャネル内のデータを送信し得る。ブロック1615の動作は、本明細書で説明する方法に従って実行され得る。いくつかの例では、ブロック1615の動作の態様は、図10〜図13を参照して説明したように、送信機によって実施されてよい。
【０１７７】
図17は、本開示の様々な態様による、NRシステムにおける電力制御のための方法1700を示すフローチャートを示す。方法1700の動作は、本明細書に記載するように、UE115またはその構成要素によって実装され得る。たとえば、方法1700の動作は、図10〜図13を参照して説明したような通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０１７８】
ブロック1705において、UE115は、TTIの間の第1のチャネル内の送信されるべきデータまたは制御情報を識別し得、第1のチャネルは、第1の送信優先度に関連付けられる。ブロック1705の動作は、本明細書で説明する方法に従って実行され得る。いくつかの例では、ブロック1705の動作の態様は、図10〜図13を参照して説明したように、送信機によって実施されてよい。
【０１７９】
ブロック1710において、UE115は、第1のチャネルが、TTIの一部の中で、第1の送信優先度より高い第2の送信優先度に関連付けられた第2のチャネルと周波数分割多重化されると決定し得る。ブロック1710の動作は、本明細書で説明する方法に従って実行され得る。いくつかの例では、ブロック1710の動作の態様は、図10〜図13を参照して記載したように、送信優先度マネージャによって実施され得る。
【０１８０】
ブロック1715において、UE115は、TTIの間の第1のチャネルに対する第2の送信電力とは無関係に、TTIの間の第2のチャネルに対する第1の送信電力を決定し得る。ブロック1715の動作は、本明細書で説明する方法に従って実行され得る。いくつかの例では、ブロック1715の動作の態様は、図10〜図13を参照して記載したように、送信電力マネージャによって実施され得る。
【０１８１】
ブロック1720において、UE115は、決定された第1の送信電力を使用してTTIの間の第2のチャネルを送信し得る。ブロック1720の動作は、本明細書で説明する方法に従って実行され得る。いくつかの例では、ブロック1720の動作の態様は、図10〜図13を参照して説明したように、送信機によって実施されてよい。
【０１８２】
図18は、本開示の様々な態様による、NRシステムにおける電力制御のための方法1800を示すフローチャートを示す。方法1800の動作は、本明細書に記載するように、UE115またはその構成要素によって実装され得る。たとえば、方法1800の動作は、図10〜図13を参照して説明したような通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０１８３】
ブロック1805において、UE115は、第1の優先度グループに関連付けられた第1の送信のために使用されるべき第1の送信電力を識別し得る。ブロック1805の動作は、本明細書で説明する方法に従って実行され得る。いくつかの例では、ブロック1805の動作の態様は、図10〜図13を参照して記載したように、送信電力マネージャによって実施され得る。
【０１８４】
ブロック1810において、UE115は、第2の優先度グループに関連付けられた第2の送信のために使用されるべき第2の送信電力を識別し得、第2の送信は、第1の送信と周波数分割多重化される。ブロック1810の動作は、本明細書で説明する方法に従って実行され得る。いくつかの例では、ブロック1810の動作の態様は、図10〜図13を参照して記載したように、送信電力マネージャによって実施され得る。
【０１８５】
ブロック1815において、UE115は、第1の送信電力と第2の送信電力との合計が、しきい値を超えると決定し得る。ブロック1815の動作は、本明細書で説明する方法に従って実行され得る。いくつかの例では、ブロック1815の動作の態様は、図10〜図13を参照して記載したように、送信電力しきい値マネージャによって実施され得る。
【０１８６】
ブロック1820において、UE115は、その決定と、第1の優先度グループの第1の優先度と第2の優先度グループの第2の優先度との比較とに少なくとも部分的に基づいて第1の送信または第2の送信のいずれかを送信し得る。ブロック1820の動作は、本明細書で説明する方法に従って実行され得る。いくつかの例では、ブロック1820の動作の態様は、図10〜図13を参照して説明したように、送信機によって実施されてよい。
【０１８７】
図19は、本開示の様々な態様による、NRシステムにおける電力制御のための方法1900を示すフローチャートを示す。方法1900の動作は、本明細書に記載するように、UE115またはその構成要素によって実装され得る。たとえば、方法1900の動作は、図10〜図13を参照して説明したような通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０１８８】
ブロック1905において、UE115は、第1の波形を使用して第1のTTI内の送信するためのデータまたは制御情報を識別し得る。ブロック1905の動作は、本明細書で説明する方法に従って実行され得る。いくつかの例では、ブロック1905の動作の態様は、図10〜図13を参照して説明したように、送信機によって実施されてよい。
【０１８９】
ブロック1910において、UE115は、第1の波形に関連付けられた1つまたは複数の開ループパラメータの第1のセットに少なくとも部分的に基づいて、データまたは制御情報に対する第1の送信電力を決定し得、1つまたは複数の開ループパラメータの第1のセットは、第2の波形に関連付けられた1つまたは複数の開ループパラメータの第2のセットとは異なる。ブロック1910の動作は、本明細書で説明する方法に従って実行され得る。いくつかの例では、ブロック1910の動作の態様は、図10〜図13を参照して記載したように、送信電力マネージャによって実施され得る。
【０１９０】
ブロック1915において、UE115は、決定された送信電力を使用して第1のTTI内のデータまたは制御情報を送信し得る。ブロック1915の動作は、本明細書で説明する方法に従って実行され得る。いくつかの例では、ブロック1915の動作の態様は、図10〜図13を参照して説明したように、送信機によって実施されてよい。
【０１９１】
上述の方法は、可能な実装形態について説明しており、動作およびステップは、再構成されるか、または他の方法で修正されてもよく、他の実装形態が可能であることに留意されたい。さらに、上記の方法のうちの2つ以上における態様が組み合わされてもよい。
【０１９２】
本明細書で説明する技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなど、様々なワイヤレス通信システムのために使用され得る。「システム」および「ネットワーク」という用語は、しばしば、互換的に使用される。符号分割多元接続(CDMA)システムは、CDMA2000、Universal Terrestrial Radio Access(UTRA)などの無線技術を実装することがある。CDMA2000は、IS-2000規格、IS-95規格、およびIS-856規格をカバーする。IS-2000リリースは、通常、CDMA2000 1X、1Xなどと呼ばれることがある。IS-856(TIA-856)は、一般に、CDMA2000 1xEV-DO、High Rate Packet Data(HRPD)などと呼ばれる。UTRAは、広帯域CDMA(WCDMA(登録商標))およびCDMAの他の変形例を含む。TDMAシステムは、モバイル通信用グローバルシステム(GSM(登録商標):Global System for Mobile communications)などの無線技術を実装し得る。
【０１９３】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装することができる。UTRAおよびE-UTRAは、Universal Mobile Telecommunications System(UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明する技法は、上述のシステムおよび無線技術ならびに他のシステムおよび無線技術のために使用され得る。LTEまたはNRシステムの態様について例として説明することがあり、説明の大部分においてLTEまたはNR用語が使用されることがあるが、本明細書で説明する技法はLTEまたはNR適用例以外に適用可能である。
【０１９４】
本明細書で説明するそのようなネットワークを含むLTE/LTE-Aネットワークでは、発展型ノードB(eNB)という用語は、概して、基地局を表すために使用され得る。本明細書で説明される1つまたは複数のワイヤレス通信システムは、異なるタイプのeNBが様々な地理的領域にカバレッジを提供する異種LTE/LTE-AまたはNRネットワークを含み得る。たとえば、各eNB、次世代NodeB(gNB)、または基地局は、マクロセル、スモールセル、または他のタイプのセルに通信カバレッジを提供し得る。「セル」という用語は、文脈に応じて、基地局、基地局と関連付けられるキャリアもしくはコンポーネントキャリア、またはキャリアもしくは基地局のカバレッジエリア(たとえば、セクタなど)を表すために使用され得る。
【０１９５】
基地局は、基地トランシーバ局、無線基地局、アクセスポイント、無線トランシーバ、ノードB、eノードB(eNB)、gNB、ホームノードB、ホームeノードB、または何らかの他の好適な用語を含むことがあるか、またはそのように当業者によって呼ばれることがある。基地局のための地理的カバレッジエリアは、カバレッジエリアの一部分のみを構成するセクタに分割されてもよい。本明細書で説明する1つまたは複数のワイヤレス通信システムは、異なるタイプの基地局(たとえば、マクロ基地局またはスモールセル基地局)を含んでもよい。本明細書に記載されたUEは、マクロeNB、スモールセルeNB、gNB、リレー基地局などを含む、様々なタイプの基地局およびネットワーク機器と通信することができる場合がある。異なる技術向けの地理的カバレージエリアが重複する場合がある。
【０１９６】
マクロセルは、一般に、比較的大きい地理的エリア(たとえば、半径数キロメートル)をカバーし、ネットワークプロバイダのサービスに加入しているUEによる無制限アクセスを可能にしてもよい。スモールセルは、マクロセルと比較して、同じまたは異なる(たとえば、認可、無認可などの)周波数帯域内でマクロセルとして動作する場合がある低電力基地局である。スモールセルは、様々な例によれば、ピコセル、フェムトセル、およびマイクロセルを含む場合がある。ピコセルは、たとえば、小さい地理的エリアをカバーしてもよく、ネットワークプロバイダのサービスに加入しているUEによる無制限アクセスを可能にしてもよい。フェムトセルも、小さい地理的エリア(たとえば、自宅)をカバーし得、フェムトセルとの関連付けを有するUE(たとえば、限定加入者グループ(CSG:Closed Subscriber Group)の中のUE、自宅の中のユーザ用のUEなど)による制限付きアクセスを提供し得る。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートすることがある。
【０１９７】
本明細書で説明した1つまたは複数のワイヤレス通信システムは、同期動作または非同期動作をサポートし得る。同期動作の場合、基地局は、類似のフレームタイミングを有することがあり、異なる基地局からの送信は、時間的にほぼ整合されることがある。非同期動作の場合、基地局は、異なるフレームタイミングを有する場合があり、異なる基地局からの送信は、時間的に整合されない場合がある。本明細書に記載された技法は、同期動作または非同期動作のいずれに使用されてもよい。
【０１９８】
本明細書で説明するダウンリンク送信は順方向リンク送信と呼ばれることもあり、アップリンク送信は逆方向リンク送信と呼ばれることもある。たとえば、図1および図2のワイヤレス通信システム100および200を含む、本明細書で説明する各通信リンクは、1つまたは複数のキャリアを含んでもよく、各キャリアは、複数のサブキャリア(たとえば、異なる周波数の波形信号)から構成される信号であってもよい。
【０１９９】
添付の図面に関して本明細書に記載した説明は、例示的な構成について説明しており、実装され得るまたは特許請求の範囲内に入るすべての例を表すとは限らない。本明細書で使用する「例示的」という用語は、「例、事例、または例示として役立つ」ことを意味し、「好ましい」または「他の例よりも有利な」を意味するものではない。発明を実施するための形態は、説明した技法の理解をもたらすための具体的な詳細を含む。しかしながら、これらの技法は、これらの具体的な詳細を伴うことなく実践されてもよい。いくつかの事例では、記載された例の概念を不明瞭にすることを回避するために、よく知られている構造およびデバイスがブロック図の形態で示されている。
【０２００】
添付の図面において、類似の構成要素または特徴は、同じ参照符号を有することができる。さらに、同じタイプの様々な構成要素は、類似の構成要素を区別するダッシュおよび第2の符号を参照符号に続けることによって区別され得る。本明細書において第1の参照ラベルのみが使用される場合、説明は、第2の参照ラベルにかかわらず、同じ第1の参照ラベルを有する同様の構成要素のいずれにも適用可能である。
【０２０１】
本明細書で説明する情報および信号は、多種多様な技術および技法のいずれかを使用して表されてもよい。たとえば、上記の説明全体にわたって言及される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表されてもよい。
【０２０２】
本明細書の本開示に関して説明する様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサは、マイクロプロセッサであり得るが、代替として、プロセッサは、任意の従来のプロセッサ、コントローラ、マイクロコントローラ、または状態機械であり得る。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)としても実装され得る。
【０２０３】
本明細書に記載された機能は、ハードウェア、プロセッサによって実行されるソフトウェア、ファームウェア、またはそれらの任意の組合せに実装されてもよい。プロセッサによって実行されるソフトウェアに実装される場合、機能は、1つまたは複数の命令またはコードとして、コンピュータ可読媒体上に記憶されるか、またはコンピュータ可読媒体を介して送信されてもよい。他の例および実装形態は、本開示および添付の特許請求の範囲の範囲内に入る。たとえば、ソフトウェアの性質に起因して、上述された機能は、プロセッサ、ハードウェア、ファームウェア、ハードワイヤリング、またはこれらのうちのいずれかの組合せによって実行されるソフトウェアを使用して実装され得る。機能を実装する特徴はまた、様々な物理的位置に機能の一部が実装されるように分散されることを含めて、様々な位置に物理的に配置されてもよい。また、特許請求の範囲内を含めて本明細書で使用する、項目のリスト(たとえば、「のうちの少なくとも1つ」または「のうちの1つまたは複数」などの句が後置される項目のリスト)において使用される「または」は、たとえば、A、B、またはCのうちの少なくとも1つのリストが、AまたはBまたはCまたはABまたはACまたはBCまたはABC(すなわち、AおよびBおよびC)を意味するような包括的リストを示す。また、本明細書で使用する「に基づいて」という句は、条件の閉集合を指すものと解釈されるべきではない。たとえば、「条件Aに基づいて」と記載された例示的なステップは、本開示の範囲から逸脱することなく、条件Aと条件Bの両方に基づいてもよい。言い換えれば、本明細書で使用する「に基づいて」という句は、「に少なくとも部分的に基づいて」という句と同じように解釈されるべきである。
【０２０４】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスできる任意の利用可能な媒体であってもよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を担持または記憶するために使用され得、汎用コンピュータもしくは専用コンピュータまたは汎用プロセッサもしくは専用プロセッサによってアクセスされ得る任意の他の非一時的媒体を備え得る。また、任意の接続が、適正にコンピュータ可読媒体と呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピー(登録商標)ディスク(disk)およびBlu-ray(登録商標)ディスク(disc)を含み、ディスク(disk)は通常、データを磁気的に再生し、ディスク(disc)は、レーザーを用いてデータを光学的に再生する。上記のもの組合せも、コンピュータ可読媒体の範囲内に含まれる。
【０２０５】
本明細書での説明は、当業者が本開示を作成または使用することを可能にするために提供される。本開示に対する様々な修正は、当業者に容易に明らかになり、本明細書で定義された一般原理は、本開示の範囲から逸脱することなく他の変形形態に適用され得る。したがって、本開示は、本明細書で説明される例および設計に限定されず、本明細書で開示された原理および新規の特徴と一致する最も広い範囲を与えられるべきである。
【符号の説明】
【０２０６】
100  ワイヤレス通信システム
105  基地局
105-a  基地局
105-b  基地局
110  地理的カバレッジエリア
115  ユーザ機器(UE)
115-a  UE
115-b  UE
125  通信リンク
130  コアネットワーク
132  バックホールリンク
134  バックホールリンク
200  アップリンク制御およびデータシグナリング
205  リソースブロックのセット
210  サブフレーム
210-a  サブフレーム
210-b  サブフレーム
215  スロット
215-a  スロット
215-b  スロット
215-c  スロット
215-d  スロット
220  物理アップリンク制御チャネル(PUCCH)
225  物理アップリンク共有チャネル(PUSCH)
300  アップリンク制御およびデータシグナリング
305  リソースブロックのセット
310  サブフレーム
310-a  サブフレーム
310-b  サブフレーム
315  スロット
315-a  スロット
315-b  スロット
315-c  スロット
315-d  スロット
320  反復されるPUCCH
325  他のPUCCH
330  PUSCH
400  アップリンク制御およびデータシグナリング
405  リソースブロックのセット
410  サブフレーム
410-a  サブフレーム
410-b  サブフレーム
415  スロット
415-a  スロット
415-b  スロット
415-c  スロット
415-d  スロット
420-a  スロットの第1の部分
420-b  スロットの第2の部分
425  PUCCH
430  PUSCH
500  アップリンク制御およびデータシグナリング
505  リソースブロックのセット
510  サブフレーム
510-a  サブフレーム
510-b  サブフレーム
515  スロット
515-a  スロット
515-b  スロット
515-c  スロット
515-d  スロット
520  PUCCH
525  PUSCH
530  高優先度送信
535  SRS送信
600  アップリンク制御およびデータシグナリング
605  リソースブロックのセット
610  サブフレーム
610-a  サブフレーム
610-b  サブフレーム
615  スロット
615-a  スロット
615-b  スロット
615-c  スロット
615-d  スロット
620  PUCCH
625  PUSCH
630  高優先度送信
635  SRS送信
640  スケーリングされた送信
700  プロセスフロー
705  図上の点
710  図上の点
715  図上の点
720  図上の点
725  図上の点
800  プロセスフロー
805  図上の点
810  図上の点
815  図上の点
820  図上の点
825  図上の点
830  図上の点
835  図上の点
840  図上の点
845  図上の点
900  プロセスフロー
905  図上の点
910  図上の点
915  図上の点
920  図上の点
925  図上の点
930  図上の点
935  図上の点
940  図上の点
1000  ワイヤレスデバイスのブロック図
1005  ワイヤレスデバイス
1010  受信機
1015  通信マネージャ
1020  送信機
1100  ワイヤレスデバイスのブロック図
1105  ワイヤレスデバイス
1110  受信機
1115  通信マネージャ
1120  送信機
1125  符号レートマネージャ
1130  送信電力マネージャ
1135  送信反復マネージャ
1140  データチャネルマネージャ
1145  送信優先度マネージャ
1150  送信電力しきい値マネージャ
1200  通信マネージャのブロック図
1215  通信マネージャ
1220  符号レートマネージャ
1225  送信電力マネージャ
1230  送信反復マネージャ
1235  データチャネルマネージャ
1240  送信優先度マネージャ
1245  送信電力しきい値マネージャ
1250  経路損失マネージャ
1255  DCIマネージャ
1305  デバイス
1310  バス
1315  通信マネージャ
1320  プロセッサ
1325  メモリ
1330  ソフトウェア
1335  トランシーバ
1340  アンテナ
1345  I/Oコントローラ
【図１】
2020523831.tif 000003
【図２】
2020523831.tif 000004
【図３】
2020523831.tif 000005
【図４】
2020523831.tif 000006
【図５】
2020523831.tif 000007
【図６】
2020523831.tif 000008
【図７】
2020523831.tif 000009
【図８】
2020523831.tif 000010
【図９】
2020523831.tif 000011
【図１０】
2020523831.tif 000012
【図１１】
2020523831.tif 000013
【図１２】
2020523831.tif 000014
【図１３】
2020523831.tif 000015
【図１４】
2020523831.tif 000016
【図１５】
2020523831.tif 000017
【図１６】
2020523831.tif 000018
【図１７】
2020523831.tif 000019
【図１８】
2020523831.tif 000020
【図１９】
2020523831.tif 000021
【国際調査報告】
2020523831.tif 000022
2020523831.tif 000023
2020523831.tif 000024
2020523831.tif 000025
2020523831.tif 000026